(57)【要約】  端末（１１０）は、第１帯域の第１検出用信号を用いて第１帯域において自端末（１１０）と直接無線通信が可能な他端末（１２０）を検出し、検出した他端末（１２０）を宛先とする第２帯域の第２検出用信号を送信することによって第２帯域において他端末（１２０）と直接無線通信が可能か否かの判断を行い、判断の結果に基づいて第１帯域および第２帯域の少なくともいずれかにおいて他端末（１２０）と直接無線通信を行う。基地局（１３０）は、端末（１１０）が接続する基地局であって、第１検出用信号および第２検出用信号の送信を制御する。
2015170392.tif 000002
【特許請求の範囲】
【請求項１】
第１帯域の第１検出用信号を用いて前記第１帯域において自端末と直接無線通信が可能な他端末を検出し、検出した前記他端末を宛先とする第２帯域の第２検出用信号を送信することによって前記第２帯域において前記他端末と直接無線通信が可能か否かの判断を行い、前記判断の結果に基づいて前記第１帯域および前記第２帯域の少なくともいずれかにおいて前記他端末と直接無線通信を行う端末と、
前記端末が接続する基地局であって、前記第１検出用信号および前記第２検出用信号の送信を制御する基地局と、
を含むことを特徴とする無線通信システム。
【請求項２】
前記端末は、
周辺の端末から送信される前記第１検出用信号を受信することによって前記周辺の端末の中から前記他端末を検出し、
前記他端末を宛先とする前記第２検出用信号を送信し、送信した前記第２検出用信号に対する前記他端末からの応答信号を受信することによって前記第２帯域において前記他端末と直接無線通信が可能か否かの判断を行う、
ことを特徴とする請求項１に記載の無線通信システム。
【請求項３】
前記基地局は、
自局に接続している端末に対して前記第１検出用信号の送信を指示する信号を送信し、
前記第１検出用信号を用いた前記他端末の検出の結果を前記端末から受信し、
前記端末に対して前記第２検出用信号の送信を指示する信号を送信する、
ことを特徴とする請求項１または２に記載の無線通信システム。
【請求項４】
前記基地局は、前記第２検出用信号を送信するための前記第２帯域の無線リソースを前記端末に割り当て、
前記端末は、前記基地局によって割り当てられた無線リソースによって前記第２検出用信号を送信する、
ことを特徴とする請求項１〜３のいずれか一つに記載の無線通信システム。
【請求項５】
前記第１帯域は、自システムの専用の帯域であり、
前記第２帯域は、前記自システムと他の無線通信システムとの共用の帯域である、
ことを特徴とする請求項１〜４のいずれか一つに記載の無線通信システム。
【請求項６】
前記端末は、
前記第１検出用信号を用いたパッシブスキャンによって前記第１帯域において自端末と直接無線通信が可能な他端末を検出し、
前記第２検出用信号を送信するアクティブスキャンによって前記第２帯域において前記他端末と直接無線通信が可能か否かの判断を行う、
ことを特徴とする請求項１〜５のいずれか一つに記載の無線通信システム。
【請求項７】
第１帯域の第１検出用信号を用いて前記第１帯域において自端末と直接無線通信が可能な他端末を検出し、検出した前記他端末を宛先とする第２帯域の第２検出用信号を送信することによって前記第２帯域において前記他端末と直接無線通信が可能か否かの判断を行う検出部と、
前記検出部による前記判断の結果に基づいて前記第１帯域および前記第２帯域の少なくともいずれかにおいて前記他端末と直接無線通信を行う通信部と、
を備えることを特徴とする端末。
【請求項８】
自局に接続する端末に対して、
第１帯域の第１検出用信号を用いて前記第１帯域において前記端末と直接無線通信が可能な他端末を検出させ、
前記端末が検出した前記他端末を宛先とする第２帯域の第２検出用信号を送信することによって前記第２帯域において前記他端末と直接無線通信が可能か否かの判断を行わせ、
前記判断の結果に基づいて前記第１帯域および前記第２帯域の少なくともいずれかにおいて前記他端末と直接無線通信を行わせる、
制御を行う制御部を備えることを特徴とする基地局。
【請求項９】
端末における処理方法であって、
第１帯域の第１検出用信号を用いて前記第１帯域において前記端末と直接無線通信が可能な他端末を検出し、
検出した前記他端末を宛先とする第２帯域の第２検出用信号を送信することによって前記第２帯域において前記他端末と直接無線通信が可能か否かの判断を行い、
前記判断の結果に基づいて前記第１帯域および前記第２帯域の少なくともいずれかにおいて前記他端末と直接無線通信を行う、
ことを特徴とする処理方法。
【請求項１０】
端末が接続する基地局における処理方法であって、
前記端末に対して、
第１帯域の第１検出用信号を用いて前記第１帯域において前記端末と直接無線通信が可能な他端末を検出させ、
前記端末が検出した前記他端末を宛先とする第２帯域の第２検出用信号を送信することによって前記第２帯域において前記他端末と直接無線通信が可能か否かの判断を行わせ、
前記判断の結果に基づいて前記第１帯域および前記第２帯域の少なくともいずれかにおいて前記他端末と直接無線通信を行わせる、
制御を行うことを特徴とする処理方法。
【請求項１１】
第１帯域の第１検出用信号を用いて前記第１帯域において自端末と直接無線通信が可能な他端末を互いに検出する複数の端末であって、前記複数の端末のうちの前記第１検出用信号によって検出された端末のそれぞれが、第２帯域の第２検出用信号を互いに送信することによって前記第２帯域において互いに直接無線通信が可能か否かの判断を行い、前記判断の結果に基づいて前記第１帯域および前記第２帯域の少なくともいずれかにおいて前記直接無線通信を行う複数の端末と、
前記複数の端末が無線接続する基地局であって、前記第１検出用信号および前記第２検出用信号の送信を制御する基地局と、
を含むことを特徴とする無線通信システム。
【請求項１２】
前記複数の端末のそれぞれは、周辺の端末から送信される前記第１検出用信号を受信することによって前記周辺の端末の中から前記他端末を検出し、
前記検出された端末のそれぞれは、前記検出された端末のうちの他の端末から送信された前記第２検出用信号に基づいて前記第２帯域において自端末と直接無線通信が可能な端末を検出することにより前記第２帯域において互いに直接無線通信が可能か否かの判断を行う、
ことを特徴とする請求項１１に記載の無線通信システム。
【請求項１３】
前記基地局は、
自局に接続している端末に対して前記第１検出用信号の送信を指示する信号を送信し、
前記第１検出用信号を用いた前記他端末の検出の結果を前記端末から受信し、
受信した前記結果に基づいて、前記検出された端末に対して前記第２検出用信号の送信を指示する信号を送信する、
ことを特徴とする請求項１１または１２に記載の無線通信システム。
【請求項１４】
前記基地局は、前記検出された端末が前記第２検出用信号を送信するための前記第２帯域の無線リソースを割り当て、
前記検出された端末のそれぞれは、前記基地局によって割り当てられた無線リソースによって前記第２検出用信号を互いに送信する、
ことを特徴とする請求項１３に記載の無線通信システム。
【請求項１５】
前記基地局は、前記第２検出用信号を送信するための前記第２帯域の無線リソースを予約する予約信号を前記第２帯域で送信し、
前記検出された端末のそれぞれは、前記予約信号によって予約された無線リソースによって前記第２検出用信号を互いに送信する、
ことを特徴とする請求項１１〜１４のいずれか一つに記載の無線通信システム。
【請求項１６】
前記基地局は、前記第２検出用信号を送信する前記第２帯域の無線リソースを予約する予約信号を前記第１帯域および前記第２帯域で送信することを特徴とする請求項１１〜１５のいずれか一つに記載の無線通信システム。
【請求項１７】
自端末とは異なる端末とともに、第１帯域の第１検出用信号を用いて前記第１帯域において直接無線通信が可能な他端末を互いに検出し、前記第１検出用信号によって自端末が検出された場合に、前記第１検出用信号によって検出された他の端末とともに、第２帯域の第２検出用信号を互いに送信することによって前記第２帯域において互いに直接無線通信が可能か否かの判断を行う検出部と、
前記検出部による前記判断の結果に基づいて前記第１帯域および前記第２帯域の少なくともいずれかにおいて前記直接無線通信を行う通信部と、
を備えることを特徴とする端末。
【請求項１８】
自局に接続する複数の端末に対して、第１帯域の第１検出用信号を用いて前記第１帯域において自端末と直接無線通信が可能な他端末を互いに検出させ、
前記複数の端末のうちの前記第１検出用信号によって検出された端末のそれぞれに対して、第２帯域の第２検出用信号を互いに送信することによって前記第２帯域において互いに直接無線通信が可能か否かの判断を行わせ、前記判断の結果に基づいて前記第１帯域および前記第２帯域の少なくともいずれかにおいて前記直接無線通信を行わせる、
制御を行う制御部を備えることを特徴とする基地局。
【請求項１９】
端末における処理方法であって、
自端末とは異なる端末とともに、第１帯域の第１検出用信号を用いて前記第１帯域において直接無線通信が可能な他端末を互いに検出し、
前記第１検出用信号によって自端末が検出された場合に、前記第１検出用信号によって検出された他の端末とともに、第２帯域の第２検出用信号を互いに送信することによって前記第２帯域において互いに直接無線通信が可能か否かの判断を行い、
前記判断の結果に基づいて前記第１帯域および前記第２帯域の少なくともいずれかにおいて前記直接無線通信を行う、
ことを特徴とする処理方法。
【請求項２０】
複数の端末が接続する基地局における処理方法であって、
自局に接続する複数の端末に対して、第１帯域の第１検出用信号を用いて前記第１帯域において自端末と直接無線通信が可能な他端末を互いに検出させ、
前記複数の端末のうちの前記第１検出用信号によって検出された端末のそれぞれに対して、第２帯域の第２検出用信号を互いに送信することによって前記第２帯域において互いに直接無線通信が可能か否かの判断を行わせ、
前記判断の結果に基づいて前記第１帯域および前記第２帯域の少なくともいずれかにおいて前記直接無線通信を行わせる、
制御を行うことを特徴とする処理方法。
【発明の詳細な説明】
【技術分野】
【０００１】
本発明は、無線通信システム、端末、基地局および処理方法に関する。
【背景技術】
【０００２】
セルラー無線通信システムにおいて、その通信事業者が免許を受けた帯域（ライセンスドバンド）で運用する通信キャリア（ＰＣＣ（Ｐｒｉｍａｒｙ  Ｃｏｍｐｏｎｅｎｔ  Ｃａｒｒｉｅｒ：プライマリコンポーネントキャリア））に加えて、従来、無線ＬＡＮ（Ｌｏｃａｌ  Ａｒｅａ  Ｎｅｔｗｏｒｋ：構内通信網）などに用いられている免許不要で使用できる帯域（アンライセンスドバンド）を、ＳＣＣ（Ｓｅｃｏｎｄａｒｙ  Ｃｏｍｐｏｎｅｎｔ  Ｃａｒｒｉｅｒ：セカンダリコンポーネントキャリア）として双方を束ねて使用する技術が検討されている。【０００３】
また、アンライセンスドバンドを、基地局と端末との間の通信だけでなく、基地局を介さずに端末同士が直接通信を行うＤ２Ｄ（Ｄｅｖｉｃｅ  ｔｏ  Ｄｅｖｉｃｅ：デバイス間）通信にも利用することが検討されている。【０００４】
たとえば、移動局からのＤ２Ｄ通信の要求を受けて、基地局が、アンライセンスドバンドにおける所要リソースの予約を行うとともに、その情報を移動局に通知する技術が知られている（たとえば、下記特許文献１参照。）。
【先行技術文献】
【特許文献】
【０００５】
【特許文献１】米国特許出願公開第２０１２／００７７５１０号明細書
【発明の概要】
【発明が解決しようとする課題】
【０００６】
しかしながら、上述した従来技術では、たとえばアンライセンスドバンドをＳＣＣに用いると、ＰＣＣとＳＣＣで周波数が大きく離れる場合がある。このため、Ｄ２Ｄ通信を行う場合、たとえば、ある端末がその周辺にあるＤ２Ｄ通信可能な端末の検出をＰＣＣ上で行い、その結果ＰＣＣでのＤ２Ｄ通信が可能と判断された端末間でも、周波数の異なるＳＣＣでのＤ２Ｄ通信は困難な場合がある。【０００７】
１つの側面では、本発明は、ＰＣＣとＳＣＣの周波数が離れていてもＳＣＣでのＤ２Ｄ通信が可能な端末を検出することができる無線通信システム、端末、基地局および処理方法を提供することを目的とする。
【課題を解決するための手段】
【０００８】
上述した課題を解決し、目的を達成するため、本発明の一側面によれば、端末が、第１帯域の第１検出用信号を用いて前記第１帯域において自端末と直接無線通信が可能な他端末を検出し、検出した前記他端末を宛先とする第２帯域の第２検出用信号を送信することによって前記第２帯域において前記他端末と直接無線通信が可能か否かの判断を行い、前記判断の結果に基づいて前記第１帯域および前記第２帯域の少なくともいずれかにおいて前記他端末と直接無線通信を行い、前記端末が接続する基地局が、前記第１検出用信号および前記第２検出用信号の送信を制御する無線通信システム、端末、基地局および処理方法が提案される。【０００９】
本発明の別の側面によれば、複数の端末が、第１帯域の第１検出用信号を用いて前記第１帯域において自端末と直接無線通信が可能な他端末を互いに検出し、前記複数の端末のうちの前記第１検出用信号によって検出された端末のそれぞれが、第２帯域の第２検出用信号を互いに送信することによって前記第２帯域において互いに直接無線通信が可能か否かの判断を行い、前記判断の結果に基づいて前記第１帯域および前記第２帯域の少なくともいずれかにおいて前記直接無線通信を行い、前記複数の端末が無線接続する基地局が、前記第１検出用信号および前記第２検出用信号の送信を制御する無線通信システム、端末、基地局および処理方法が提案される。
【発明の効果】
【００１０】
本発明の一側面によれば、ＰＣＣとＳＣＣの周波数が離れていてもＳＣＣでのＤ２Ｄ通信が可能な端末を検出することができるという効果を奏する。
【図面の簡単な説明】
【００１１】
【図１Ａ】図１Ａは、実施の形態１にかかる無線通信システムの一例を示す図である。
【図１Ｂ】図１Ｂは、図１Ａに示した無線通信システムにおける信号の流れの一例を示す図である。
【図２】図２は、実施の形態２にかかる無線通信システムの一例を示す図である。
【図３Ａ】図３Ａは、実施の形態２にかかるｅＮＢの一例を示す図である。
【図３Ｂ】図３Ｂは、図３Ａに示したｅＮＢにおける信号の流れの一例を示す図である。
【図３Ｃ】図３Ｃは、ｅＮＢのハードウェア構成の一例を示す図である。
【図３Ｄ】図３Ｄは、図３Ｃに示したハードウェア構成における信号の流れの一例を示す図である。
【図４Ａ】図４Ａは、実施の形態２にかかるＵＥの一例を示す図である。
【図４Ｂ】図４Ｂは、図４Ａに示したＵＥにおける信号の流れの一例を示す図である。
【図５】図５は、実施の形態２にかかるｅＮＢによるＤ２Ｄ通信の開始制御処理の一例を示すフローチャートである。
【図６】図６は、実施の形態２にかかるＵＥによるＤ２Ｄ通信の開始処理の一例を示すフローチャートである。
【図７Ａ】図７Ａは、実施の形態２にかかる無線通信システムの動作例１を示す図である。
【図７Ｂ】図７Ｂは、実施の形態２にかかる無線通信システムの動作例２を示す図である。
【図８】図８は、実施の形態３にかかるｅＮＢによるＤ２Ｄ通信の開始制御処理の一例を示すフローチャートである。
【図９】図９は、実施の形態３にかかるＵＥによるＤ２Ｄ通信の開始処理の一例を示すフローチャートである。
【図１０Ａ】図１０Ａは、実施の形態３にかかる無線通信システムの動作例１を示す図である。
【図１０Ｂ】図１０Ｂは、実施の形態３にかかる無線通信システムの動作例２を示す図である。
【図１１】図１１は、ＳＣＣにおけるディスカバリ信号の送信の一例を示す図である。
【図１２Ａ】図１２Ａは、ディスカバリメッセージの一例を示す図（その１）である。
【図１２Ｂ】図１２Ｂは、ディスカバリメッセージの一例を示す図（その２）である。
【発明を実施するための形態】
【００１２】
以下に図面を参照して、本発明にかかる無線通信システム、端末、基地局および処理方法の実施の形態を詳細に説明する。
【００１３】
（実施の形態１）
図１Ａは、実施の形態１にかかる無線通信システムの一例を示す図である。図１Ｂは、図１Ａに示した無線通信システムにおける信号の流れの一例を示す図である。図１Ａ，図１Ｂに示すように、実施の形態１にかかる無線通信システム１００は、端末１１０，１２０と、基地局１３０と、を備える。基地局１３０は、端末１１０，１２０のうちの少なくとも端末１１０が無線接続する基地局である。
【００１４】
端末１１０，１２０は、たとえば互いに接近している場合に、第１帯域および第２帯域の少なくともいずれかを用いて互いに直接無線通信が可能なデバイスである。第２帯域は、第１帯域と異なる周波数帯域である。
【００１５】
端末１１０は、検出部１１１と、通信部１１２と、を備える。検出部１１１は、第１帯域の第１検出用信号を用いて、第１帯域において自端末と直接無線通信が可能な他端末を検出する。たとえば、端末１１０は、周辺の端末から送信される第１帯域の第１検出用信号を受信することによって、周辺の端末のうちの、自端末と直接無線通信が可能な他端末を検出することができる。この検出は、たとえばパッシブスキャンである。図１Ａに示す例では、検出部１１１は、自端末と直接無線通信が可能な他端末として端末１２０を検出したとする。
【００１６】
検出部１１１は、検出した端末１２０を宛先とする第２帯域の第２検出用信号を送信することによって、第２帯域において自端末が端末１２０と直接無線通信が可能か否かを判断する。たとえば、検出部１１１は、検出した端末１２０を宛先とする第２帯域の第２検出用信号を送信する。そして、検出部１１１は、送信した第２検出用信号に対する端末１２０からの応答信号を受信することにより、第２帯域において自端末が端末１２０と直接無線通信が可能か否かを判断することができる。この処理は、たとえばアクティブスキャンである。検出部１１１は、判断結果を通信部１１２へ出力する。
【００１７】
通信部１１２は、検出部１１１から出力された判断結果に基づいて、第１帯域および第２帯域の少なくともいずれかにおいて端末１２０と直接無線通信を行う。たとえば、第２帯域において自端末が端末１２０と直接無線通信が可能であると検出部１１１によって判断された場合は、通信部１１２は、第２帯域において端末１２０と直接無線通信を行う。
【００１８】
また、第２帯域において自端末が端末１２０と直接無線通信が可能でないと検出部１１１によって判断された場合は、通信部１１２は、第１帯域において端末１２０と直接無線通信を行う。また、第２帯域において自端末が端末１２０と直接無線通信が可能であると検出部１１１によって判断された場合に、通信部１１２は、第１帯域および第２帯域の両方において端末１２０と直接無線通信を行ってもよい。
【００１９】
このように、実施の形態１によれば、端末が、第１帯域での検出の後に、検出した他端末を宛先とする第２検出用信号を送信することによって第２帯域での検出を行うことができる。これにより、第１帯域と第２帯域の周波数が離れていても第２帯域での直接無線通信が可能になる。また、第１帯域と第２帯域の周波数が離れていても、直接無線通信が可能な他端末を効率よく検出することができる。
【００２０】
第１検出用信号および第２検出用信号の送信は、たとえば基地局１３０が備える制御部１３１によって制御される。たとえば、制御部１３１は、端末１２０が第１帯域の第１検出用信号を送信するように端末１２０を制御する。また、制御部１３１は、端末１１０の検出部１１１が第２帯域の第２検出用信号を送信するように端末１１０を制御する。たとえば、制御部１３１は、端末１１０，１２０との間で制御信号を無線送信することによって端末１１０，１２０を制御する。
【００２１】
＜基地局による制御＞
たとえば、基地局１３０は、自局に接続している端末（たとえば端末１２０）に対して第１検出用信号の送信を指示する信号を送信する。そして、第１検出用信号を用いた端末１２０の検出の結果を端末１１０から受信し、受信結果に基づいて、端末１１０に対して第２検出用信号の送信を指示する信号を送信する。これにより、第１検出用信号および第２検出用信号の送信を基地局１３０において制御することができる。
【００２２】
＜第２検出用信号のための無線リソースの割り当て＞
たとえば、基地局１３０は、端末１１０が第２検出用信号を送信するための第２帯域の無線リソースを端末１１０に割り当てる。これに対して、端末１１０は、基地局１３０によって割り当てられた無線リソースによって第２検出用信号を送信する。これにより、第２検出用信号と、基地局１３０に接続する他の端末の送信と、の衝突を抑制することができる。
【００２３】
＜第１帯域と第２帯域について＞
第１帯域は、たとえば、無線通信システム１００（自システム）の専用の帯域とすることができる。また、第２帯域は、無線通信システム１００と他の無線通信システムとの共用の帯域とすることができる。他の無線通信システムは、たとえば、無線通信システム１００と通信方式が異なる無線通信システムである。
【００２４】
（実施の形態１にかかる変形例）
端末１１０，１２０を含む複数の帯域が上述した第１帯域での検出を行った場合に、検出された端末のそれぞれが、第２帯域の第２検出用信号を互いに送信することによって、第２帯域において他端末と直接無線通信が可能か否かを判断するようにしてもよい。
【００２５】
たとえば、少なくとも端末１１０，１２０がともに第１帯域の第１検出用信号を送受信することによって互いを検出したとする。この場合は、検出された端末１１０のそれぞれが、第２帯域の第２検出用信号を互いに送信することによって、第２帯域において互いに直接無線通信が可能か否かを判断する。この処理は、たとえばパッシブスキャンである。
【００２６】
また、端末１１０，１２０の他にも、互いを検出した各端末があった場合は、その各端末も、第２帯域の第２検出用信号を互いに送信することによって、第２帯域において互いに直接無線通信が可能か否かを判断する（パッシブスキャン）。
【００２７】
このように、実施の形態１において、第１帯域での検出の後に、検出された各端末に限定して、第２帯域の第２検出用信号を互いに送信することによって第２帯域での検出を行ってもよい。この場合も、第１帯域と第２帯域の周波数が離れていても第２帯域での直接無線通信が可能になる。また、第１帯域と第２帯域の周波数が離れていても、直接無線通信が可能な他端末を効率よく検出することができる。
【００２８】
＜基地局による制御＞
たとえば、基地局１３０は、自局に接続している端末（たとえば端末１２０）に対して第１検出用信号の送信を指示する信号を送信する。そして、第１検出用信号を用いた端末１２０の検出の結果を端末１１０から受信し、受信結果に基づいて、端末１１０，１２０に対して第２検出用信号の送信を指示する信号を送信する。これにより、第１検出用信号および第２検出用信号の送信を基地局１３０において制御することができる。
【００２９】
＜第２検出用信号のための無線リソースの割り当て＞
たとえば、基地局１３０は、端末１１０が第２検出用信号を送信するための第２帯域の無線リソースを端末１１０に割り当てる。これに対して、端末１１０は、基地局１３０によって割り当てられた無線リソースによって第２検出用信号を送信する。これにより、第２検出用信号と、基地局１３０に接続する他の端末の送信と、の衝突を抑制することができる。
【００３０】
＜第２検出用信号のための無線リソースの予約＞
基地局１３０は、第２検出用信号を送信するための第２帯域の無線リソースを予約する予約信号を第２帯域で送信する。この場合に、端末１１０，１２０のそれぞれは、予約信号によって予約された無線リソースによって第２検出用信号を互いに送信する。これにより、第２検出用信号と、第２帯域の他の信号と、の衝突を抑制することができる。
【００３１】
また、基地局１３０は、第２検出用信号を送信するための第２帯域の無線リソースを予約する予約信号を第１帯域でも送信してもよい。これにより、第２検出用信号と、第１帯域および第２帯域の他の信号と、の衝突を抑制することができる。
【００３２】
＜第１帯域と第２帯域について＞
第１帯域は、たとえば、無線通信システム１００（自システム）の専用の帯域とすることができる。また、第２帯域は、無線通信システム１００と他の無線通信システムとの共用の帯域とすることができる。他の無線通信システムは、たとえば、無線通信システム１００と通信方式が異なる無線通信システムである。
【００３３】
（実施の形態２）
（実施の形態２にかかる無線通信システム）
図２は、実施の形態２にかかる無線通信システムの一例を示す図である。図２に示すように、実施の形態２にかかる無線通信システム２００は、ｅＮＢ２１１〜２１３と、ＵＥ２３１〜２３９と、を含む。
【００３４】
ｅＮＢ２１１〜２１３（ｅｖｏｌｖｅｄ  Ｎｏｄｅ  Ｂ）は、それぞれマクロセル２２１〜２２３を形成するマクロ基地局である。ＵＥ２３１〜２３３（Ｕｓｅｒ  Ｅｑｕｉｐｍｅｎｔ：ユーザ端末）は、マクロセル２２１に在圏しており、ｅＮＢ２１１との間で無線通信が可能である。ＵＥ２３４〜２３６は、マクロセル２２２に在圏しており、ｅＮＢ２１２との間で無線通信が可能である。ＵＥ２３７〜２３９は、マクロセル２２３に在圏しており、ｅＮＢ２１３との間で無線通信が可能である。
【００３５】
図２に示す例では、マクロセル２２１において、ＵＥ２３１はｅＮＢ２１１との間で無線通信を行っている。また、マクロセル２２１において、ＵＥ２３２，２３３は、たとえばｅＮＢ２１１の制御により、互いにＤ２Ｄ通信を行っている。
【００３６】
図１Ａ，図１Ｂに示した無線通信システム１００は、たとえばｅＮＢ２１１およびＵＥ２３１〜２３３により実現することができる。この場合に、たとえば、図１Ａ，図１Ｂに示した端末１１０，１２０は、ＵＥ２３１〜２３９に適用することができる。また、図１Ａ，図１Ｂに示した基地局１３０は、ｅＮＢ２１１〜２１３に適用することができる。
【００３７】
以下、ｅＮＢ２１１およびマクロセル２２１における各ＵＥ（たとえばＵＥ２３２，２３３）に無線通信システム１００を適用する場合について説明する。
【００３８】
（実施の形態２にかかるｅＮＢ）
図３Ａは、実施の形態２にかかるｅＮＢの一例を示す図である。図３Ｂは、図３Ａに示したｅＮＢにおける信号の流れの一例を示す図である。図２に示したｅＮＢ２１１は、たとえば図３Ａ，図３Ｂに示すｅＮＢ３００により実現することができる。ｅＮＢ３００は、アンテナ３０１と、無線処理部３０２と、ＦＦＴ処理部３０３と、復調部３０４と、復号部３０５と、ＭＡＣ・ＲＬＣ処理部３０６と、無線リソース制御部３０７と、ＭＡＣ制御部３０８と、パケット生成部３０９と、を備える。また、ｅＮＢ３００は、ＭＡＣスケジューリング部３１０と、符号化部３１１と、変調部３１２と、多重部３１３と、ＩＦＦＴ処理部３１４と、無線処理部３１５と、アンテナ３１６と、を備える。
【００３９】
アンテナ３０１は、他の無線通信装置から無線送信された信号を受信する。そして、アンテナ３０１は、受信した信号を無線処理部３０２へ出力する。無線処理部３０２は、アンテナ３０１から出力された信号の無線処理を行う。無線処理部３０２の無線処理には、たとえば高周波帯からベースバンド帯への周波数変換が含まれる。無線処理部３０２は、無線処理を行った信号をＦＦＴ処理部３０３へ出力する。
【００４０】
ＦＦＴ処理部３０３は、無線処理部３０２から出力された信号のＦＦＴ（Ｆａｓｔ  Ｆｏｕｒｉｅｒ  Ｔｒａｎｓｆｏｒｍ：高速フーリエ変換）処理を行う。これにより、信号が時間領域から周波数領域に変換される。ＦＦＴ処理部３０３は、ＦＦＴ処理を行った信号を復調部３０４へ出力する。
【００４１】
復調部３０４は、ＦＦＴ処理部３０３から出力された信号を復調する。そして、復調部３０４は、復調により得られた信号を復号部３０５へ出力する。復号部３０５は、復調部３０４から出力された信号を復号する。そして、復号部３０５は、復号により得られたデータをＭＡＣ・ＲＬＣ処理部３０６へ出力する。
【００４２】
ＭＡＣ・ＲＬＣ処理部３０６は、復号部３０５から出力されたデータに基づくＭＡＣ（Ｍｅｄｉａ  Ａｃｃｅｓｓ  Ｃｏｎｔｒｏｌ：メディアアクセス制御）層およびＲＬＣ（Ｒａｄｉｏ  Ｌｉｎｋ  Ｃｏｎｔｒｏｌ：無線リンク制御）層の各処理を行う。ＭＡＣ・ＲＬＣ処理部３０６は、各層の処理によって得られたデータを出力する。ＭＡＣ・ＲＬＣ処理部３０６から出力された信号は、たとえばｅＮＢ３００の上位層の処理部へ入力される。また、ＭＡＣ・ＲＬＣ処理部３０６は、各層の処理によって得られたデータに含まれるフィードバック情報などの制御情報を無線リソース制御部３０７へ出力する。
【００４３】
無線リソース制御部３０７は、ＭＡＣ・ＲＬＣ処理部３０６から出力された制御情報に基づく無線リソース制御を行う。この無線リソース制御はＲＲＣ層の処理である。無線リソース制御部３０７は、無線リソース制御に基づく制御情報をＭＡＣ制御部３０８へ出力する。また、無線リソース制御部３０７は、無線リソース制御に基づくＤ２Ｄ用リソース情報をパケット生成部３０９へ出力する。
【００４４】
ＭＡＣ制御部３０８は、無線リソース制御部３０７から出力された制御情報に基づくＭＡＣ層の制御を行う。そして、ＭＡＣ制御部３０８は、ＭＡＣ層の制御に基づくＵＥへの個別制御情報を多重部３１３へ出力する。個別制御情報は、たとえばＰＤＣＣＨ（Ｐｈｙｓｉｃａｌ  Ｄｏｗｎｌｉｎｋ  Ｃｏｎｔｒｏｌ  Ｃｈａｎｎｅｌ：物理下りリンク制御チャネル）である。また、ＭＡＣ制御部３０８は、ＭＡＣ層の制御に基づく制御情報をＭＡＣスケジューリング部３１０へ出力する。
【００４５】
パケット生成部３０９は、ｅＮＢ３００の上位層から出力されたユーザデータと、ＭＡＣ制御部３０８から出力されたＤ２Ｄ用リソース情報と、を含む各パケットを生成する。そして、パケット生成部３０９は、生成したパケットをＭＡＣスケジューリング部３１０へ出力する。
【００４６】
ＭＡＣスケジューリング部３１０は、ＭＡＣ制御部３０８から出力された制御情報に基づいて、パケット生成部３０９から出力されたパケットのＭＡＣ層のスケジューリングを行う。そして、ＭＡＣスケジューリング部３１０は、スケジューリングの結果に基づいてパケットを符号化部３１１へ出力する。
【００４７】
符号化部３１１は、ＭＡＣスケジューリング部３１０から出力されたパケットを符号化する。そして、符号化部３１１は、符号化したパケットを変調部３１２へ出力する。変調部３１２は、符号化部３１１から出力されたパケットに基づく変調を行う。そして、変調部３１２は、変調により得られた信号を多重部３１３へ出力する。
【００４８】
多重部３１３は、ＭＡＣ制御部３０８から出力された個別制御情報と、変調部３１２から出力された信号と、を多重化する。そして、多重部３１３は、多重化により得られた信号をＩＦＦＴ処理部３１４へ出力する。
【００４９】
ＩＦＦＴ処理部３１４は、多重部３１３から出力された信号のＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）処理を行う。これにより、信号が周波数領域から時間領域に変換される。ＩＦＦＴ処理部３１４は、ＩＦＦＴ処理を行った信号を無線処理部３１５へ出力する。
【００５０】
無線処理部３１５は、ＩＦＦＴ処理部３１４から出力された信号の無線処理を行う。無線処理部３１５の無線処理には、たとえばベースバンド帯から高周波帯への周波数変換が含まれる。無線処理部３１５は、無線処理を行った信号をアンテナ３１６へ出力する。アンテナ３１６は、無線処理部３１５から出力された信号を他の無線通信装置へ無線送信する。
【００５１】
図１Ａ，図１Ｂに示した制御部１３１は、たとえば、図３Ａ，図３Ｂに示した各構成のうちのＭＡＣ制御部３０８を除く構成により実現することができる。または、図１Ａ，図１Ｂに示した制御部１３１は、たとえば、図３Ａ，図３Ｂに示した各構成（ＭＡＣ制御部３０８を含む）によって実現してもよい。
【００５２】
（ｅＮＢのハードウェア構成）
図３Ｃは、ｅＮＢのハードウェア構成の一例を示す図である。図３Ｄは、図３Ｃに示したハードウェア構成における信号の流れの一例を示す図である。ｅＮＢ３００は、たとえば図３Ｃ，図３Ｄに示す無線通信装置３５０により実現することができる。
【００５３】
無線通信装置３５０は、たとえば、送受信アンテナ３５１と、アンプ３５２と、乗算部３５３と、アナログデジタル変換器３５４と、プロセッサ３５５と、メモリ３５６と、を備える。また、無線通信装置３５０は、デジタルアナログ変換器３５７と、乗算部３５８と、アンプ３５９と、発振器３６０と、を備える。また、無線通信装置３５０は、外部の通信装置との間で有線通信を行うインタフェースを備えていてもよい。
【００５４】
送受信アンテナ３５１は、自装置の周辺から無線送信された信号を受信し、受信した信号をアンプ３５２へ出力する。また、送受信アンテナ３５１は、アンプ３５９から出力された信号を自装置の周辺へ無線送信する。
【００５５】
アンプ３５２は、送受信アンテナ３５１から出力された信号を増幅する。そして、アンプ３５２は、増幅した信号を乗算部３５３へ出力する。乗算部３５３は、アンプ３５２から出力された信号を、発振器３６０から出力されたクロック信号と乗算することにより、高周波帯からベースバンド帯へ周波数変換する。そして、乗算部３５３は、周波数変換した信号をアナログデジタル変換器３５４へ出力する。
【００５６】
アナログデジタル変換器３５４（Ａ／Ｄ）は、乗算部３５３から出力された信号をアナログ信号からデジタル信号に変換するＡＤＣ（Ａｎａｌｏｇ／Ｄｉｇｉｔａｌ  Ｃｏｎｖｅｒｔｅｒ：アナログ／デジタル変換器）である。アナログデジタル変換器３５４は、デジタル信号に変換した信号をプロセッサ３５５へ出力する。
【００５７】
プロセッサ３５５は、無線通信装置３５０の全体の制御を司る。プロセッサ３５５は、たとえばＣＰＵ（Ｃｅｎｔｒａｌ  Ｐｒｏｃｅｓｓｉｎｇ  Ｕｎｉｔ：中央処理装置）やＤＳＰ（Ｄｉｇｉｔａｌ  Ｓｉｇｎａｌ  Ｐｒｏｃｅｓｓｏｒ）などにより実現することができる。プロセッサ３５５は、アナログデジタル変換器３５４から出力された信号の受信処理を行う。また、プロセッサ３５５は、自装置が送信する信号を生成し、生成した信号をデジタルアナログ変換器３５７へ出力する送信処理を行う。
【００５８】
メモリ３５６には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、プロセッサ３５５のワークエリアとして使用される。補助メモリは、たとえば磁気ディスクやフラッシュメモリなどの不揮発メモリである。補助メモリには、プロセッサ３５５を動作させる各種のプログラムが記憶されている。補助メモリに記憶されたプログラムは、メインメモリにロードされてプロセッサ３５５によって実行される。また、補助メモリには、たとえば、予め定められた各種の閾値などが記憶される。
【００５９】
デジタルアナログ変換器３５７は、プロセッサ３５５から出力された信号をデジタル信号からアナログ信号に変換するＤＡＣ（Ｄｉｇｉｔａｌ／Ａｎａｌｏｇ  Ｃｏｎｖｅｒｔｅｒ：デジタル／アナログ変換器）である。デジタルアナログ変換器３５７は、アナログ信号に変換した信号を乗算部３５８へ出力する。
【００６０】
乗算部３５８は、デジタルアナログ変換器３５７から出力された信号を、発振器３６０から出力されたクロック信号と乗算することにより、ベースバンド帯から高周波帯へ周波数変換する。そして、乗算部３５８は、周波数変換した信号をアンプ３５９へ出力する。アンプ３５９はデジタルアナログ変換器３５７から出力された信号を増幅する。そして、アンプ３５９は、増幅した信号を送受信アンテナ３５１へ出力する。
【００６１】
発振器３６０は、所定周波数のクロック信号（連続波の交流信号）を発振する。そして、発振器３６０は、発振したクロック信号を乗算部３５３，３５８へ出力する。
【００６２】
図３Ａ，図３Ｂに示したアンテナ３０１，３１６は、たとえば送受信アンテナ３５１により実現することができる。図３Ａ，図３Ｂに示した無線処理部３０２および無線処理部３１５は、たとえばアンプ３５２、乗算部３５３、アナログデジタル変換器３５４、デジタルアナログ変換器３５７、乗算部３５８、アンプ３５９および発振器３６０により実現することができる。図３Ａ，図３Ｂに示したその他の構成は、たとえばプロセッサ３５５およびメモリ３５６により実現することができる。
【００６３】
（実施の形態２にかかるＵＥ）
図４Ａは、実施の形態２にかかるＵＥの一例を示す図である。図４Ｂは、図４Ａに示したＵＥにおける信号の流れの一例を示す図である。図２に示したＵＥ２３１〜２３３のそれぞれは、たとえば図４Ａ，図４Ｂに示すＵＥ４００により実現することができる。
【００６４】
ＵＥ４００は、アンテナ４０１と、無線処理部４０２と、ＦＦＴ処理部４０３と、等化処理部４０４と、ＩＦＦＴ処理部４０５と、復調部４０６と、復号部４０７と、応答信号検出部４０８と、を備える。また、ＵＥ４００は、ディスカバリ信号検出部４０９と、キャリアセンス部４１０と、制御情報処理部４１１と、ディスカバリ信号生成部４１２と、を備える。また、ＵＥ４００は、データ処理部４１３と、多重部４１４と、シンボルマッピング部４１５と、多重部４１６と、ＦＦＴ処理部４１７と、周波数マッピング部４１８と、ＩＦＦＴ処理部４１９と、無線処理部４２０と、を備える。
【００６５】
アンテナ４０１は、他の無線通信装置から無線送信された信号を受信する。そして、アンテナ４０１は、受信した信号を無線処理部４０２へ出力する。また、アンテナ４０１は、無線処理部４２０から出力された信号を他の無線通信装置へ無線送信する。
【００６６】
無線処理部４０２は、アンテナ４０１から出力された信号の無線処理を行う。無線処理部４０２の無線処理には、たとえば高周波帯からベースバンド帯への周波数変換が含まれる。無線処理部４０２は、無線処理を行った信号をＦＦＴ処理部４０３、ディスカバリ信号検出部４０９およびキャリアセンス部４１０へ出力する。
【００６７】
ＦＦＴ処理部４０３は、無線処理部４０２から出力された信号のＦＦＴ処理を行う。これにより、信号が時間領域から周波数領域に変換される。ＦＦＴ処理部４０３は、ＦＦＴ処理を行った信号を等化処理部４０４へ出力する。
【００６８】
等化処理部４０４は、ＦＦＴ処理部４０３から出力された信号の等化処理を行う。そして、等化処理部４０４は、等化処理を行った信号をＩＦＦＴ処理部４０５へ出力する。ＩＦＦＴ処理部４０５は、等化処理部４０４から出力された信号のＩＦＦＴ処理を行う。これにより、信号が周波数領域から時間領域に変換される。ＩＦＦＴ処理部４０５は、ＩＦＦＴ処理を行った信号を復調部４０６へ出力する。
【００６９】
復調部４０６は、ＩＦＦＴ処理部４０５から出力された信号を復調する。そして、復調部４０６は、復調により得られた信号を復号部４０７へ出力する。復号部４０７は、復調部４０６から出力された信号を復号する。そして、復号部４０７は、復号により得られたデータを出力する。復号部４０７から出力されたデータは、たとえばＵＥ４００の上位層の処理部および応答信号検出部４０８へ入力される。復号部４０７から出力されたデータには、たとえばユーザデータが含まれる。
【００７０】
応答信号検出部４０８は、復号部４０７から出力されたデータに含まれる、他の無線通信装置から送信された応答信号を検出する。そして、応答信号検出部４０８は、応答信号の検出結果を示す検出情報を制御情報処理部４１１へ出力する。
【００７１】
ディスカバリ信号検出部４０９は、無線処理部４０２から出力された信号に含まれる、他の無線通信装置から送信されたディスカバリ信号を検出する。ディスカバリ信号には、たとえばアクティブスキャン信号やパッシブスキャン信号などが含まれる。ディスカバリ信号検出部４０９は、ディスカバリ信号の検出結果を示す検出情報を制御情報処理部４１１へ出力する。
【００７２】
キャリアセンス部４１０は、無線処理部４０２から出力された信号に基づくキャリアセンスを行う。そして、キャリアセンス部４１０は、キャリアセンスの結果を示すキャリアセンス結果情報を制御情報処理部４１１へ出力する。
【００７３】
制御情報処理部４１１は、たとえばＭＡＣ層やＲＲＣ（Ｒａｄｉｏ  Ｒｅｓｏｕｒｃｅ  Ｃｏｎｔｒｏｌ：無線リソース制御）層の各制御情報の処理を行う。たとえば、制御情報処理部４１１は、応答信号検出部４０８から出力された検出情報に基づいて、ＵＥ４００から送信したアクティブスキャン信号に対する応答があったか否かを判断する。
【００７４】
また、制御情報処理部４１１は、ディスカバリ信号検出部４０９から出力された検出情報に基づいて、他のＵＥから送信されたアクティブスキャン信号に対する応答信号の送信や、他のＵＥから送信されたパッシブスキャン信号の受信などの制御を行う。また、制御情報処理部４１１は、キャリアセンス部４１０から出力されたキャリアセンス結果情報に基づいて、ＵＥ４００が通信を行う無線リソースの空きを確認する。
【００７５】
また、制御情報処理部４１１は、基地局から受信した各制御信号に基づいて、ディスカバリ信号の送信を指示するディスカバリ信号送信指示をディスカバリ信号生成部４１２へ出力する。また、制御情報処理部４１１は、各処理結果に基づいて、応答信号や無線リソース割り当て情報などの制御情報を多重部４１４へ出力する。
【００７６】
ディスカバリ信号生成部４１２は、制御情報処理部４１１から出力されたディスカバリ信号送信指示に基づいて、ディスカバリ信号を生成する。そして、ディスカバリ信号生成部４１２は、生成したディスカバリ信号を多重部４１６へ出力する。
【００７７】
データ処理部４１３は、各種のデータ処理を行い、データ処理の結果に基づく送信データを多重部４１４へ出力する。多重部４１４は、制御情報処理部４１１から出力された制御情報と、データ処理部４１３から出力された送信データと、を多重化し、多重化により得られた送信信号をシンボルマッピング部４１５へ出力する。
【００７８】
シンボルマッピング部４１５は、多重部４１４から出力された送信信号のシンボルマッピングを行う。そして、シンボルマッピング部４１５は、シンボルマッピングを行った送信信号を多重部４１６へ出力する。
【００７９】
多重部４１６は、ディスカバリ信号生成部４１２から出力されたディスカバリ信号と、シンボルマッピング部４１５から出力された送信信号と、ＵＥ４００からのパイロット信号や同期信号と、を多重化する。そして、多重部４１６は、多重化により得られた信号をＦＦＴ処理部４１７へ出力する。
【００８０】
ＦＦＴ処理部４１７は、多重部４１６から出力された信号のＦＦＴ処理を行う。これにより、信号が時間領域から周波数領域に変換される。ＦＦＴ処理部４１７は、ＦＦＴ処理を行った信号を周波数マッピング部４１８へ出力する。周波数マッピング部４１８は、ＦＦＴ処理部４１７から出力された信号の周波数マッピングを行う。そして、周波数マッピング部４１８は、周波数マッピングを行った信号をＩＦＦＴ処理部４１９へ出力する。
【００８１】
ＩＦＦＴ処理部４１９は、周波数マッピング部４１８から出力された信号のＩＦＦＴ処理を行う。これにより、信号が周波数領域から時間領域に変換される。ＩＦＦＴ処理部４１９は、ＩＦＦＴ処理を行った信号を無線処理部４２０へ出力する。
【００８２】
無線処理部４２０は、ＩＦＦＴ処理部４１９から出力された信号の無線処理を行う。無線処理部４２０の無線処理には、たとえばベースバンド帯から高周波帯への周波数変換が含まれる。無線処理部４２０は、無線処理を行った信号をアンテナ４０１へ出力する。
【００８３】
図４Ａ，図４Ｂに示す例では、無線送信と無線受信に同一のアンテナ４０１を用いる場合について説明したが、無線送信用のアンテナと無線受信用のアンテナをＵＥ４００に設けてもよい。図１Ａ，図１Ｂに示した検出部１１１は、たとえばアンテナ４０１、無線処理部４０２、ＦＦＴ処理部４０３、等化処理部４０４、ＩＦＦＴ処理部４０５、復調部４０６、復号部４０７、応答信号検出部４０８、ディスカバリ信号検出部４０９、キャリアセンス部４１０、制御情報処理部４１１、ディスカバリ信号生成部４１２、多重部４１６、ＦＦＴ処理部４１７、周波数マッピング部４１８、ＩＦＦＴ処理部４１９および無線処理部４２０により実現することができる。
【００８４】
図１Ａ，図１Ｂに示した通信部１１２は、たとえばアンテナ４０１、無線処理部４０２、ＦＦＴ処理部４０３、等化処理部４０４、ＩＦＦＴ処理部４０５、復調部４０６、復号部４０７、応答信号検出部４０８、制御情報処理部４１１、ディスカバリ信号生成部４１２、データ処理部４１３、多重部４１４、シンボルマッピング部４１５、多重部４１６、ＦＦＴ処理部４１７、周波数マッピング部４１８、ＩＦＦＴ処理部４１９および無線処理部４２０により実現することができる。
【００８５】
（ＵＥのハードウェア構成）
ＵＥ４００は、たとえば図３Ｃ，図３Ｄに示した無線通信装置３５０により実現することができる。この場合に、無線通信装置３５０は、外部の通信装置との間で有線通信を行うインタフェースを備えていなくてもよい。
【００８６】
図４Ａ，図４Ｂに示したアンテナ４０１は、たとえば送受信アンテナ３５１により実現することができる。図４Ａ，図４Ｂに示した無線処理部４０２および無線処理部４２０は、たとえばアンプ３５２、乗算部３５３、アナログデジタル変換器３５４、デジタルアナログ変換器３５７、乗算部３５８、アンプ３５９および発振器３６０により実現することができる。図４Ａ，図４Ｂに示したその他の構成は、たとえばプロセッサ３５５およびメモリ３５６により実現することができる。
【００８７】
（実施の形態２にかかるｅＮＢによるＤ２Ｄ通信の開始制御処理）
図５は、実施の形態２にかかるｅＮＢによるＤ２Ｄ通信の開始制御処理の一例を示すフローチャートである。実施の形態２にかかるｅＮＢ３００は、Ｄ２Ｄ通信の開始制御処理として、たとえば図５に示す各ステップを実行する。
【００８８】
まず、ｅＮＢ３００は、ＰＣＣディスカバリ開始指示を各ＵＥに対して送信する（ステップＳ５０１）。ＰＣＣディスカバリ開始指示は、ＰＣＣにおけるディスカバリの開始を指示する信号である。ステップＳ５０１の送信は、たとえばｅＮＢ３００に接続しているＵＥからの要求などの各種のタイミングで行うことができる。
【００８９】
つぎに、ｅＮＢ３００は、ステップＳ５０１によって送信したＰＣＣディスカバリ開始指示に対する各ディスカバリ結果の報告を各ＵＥから受信したか否かを判断し（ステップＳ５０２）、報告を受信するまで待つ（ステップＳ５０２：Ｎｏのループ）。各ディスカバリ結果の報告には、たとえば各ＵＥが決定したＤ２Ｄ通信相手を示す情報が含まれる。
【００９０】
ステップＳ５０２において、報告を受信すると（ステップＳ５０２：Ｙｅｓ）、ｅＮＢ３００は、ステップＳ５０３へ移行する。すなわち、ｅＮＢ３００は、ステップＳ５０２において受信した報告が示すＤ２Ｄ通信相手に基づいて、Ｄ２Ｄ通信を行う各ＵＥに対して、アクティブスキャン指示を個別に送信する（ステップＳ５０３）。アクティブスキャン指示は、ＳＣＣにおけるアクティブスキャンを指示する信号である。
【００９１】
つぎに、ｅＮＢ３００は、ステップＳ５０３によって送信したアクティブスキャン指示に対するアクティブスキャン結果の報告を受信したか否かを判断し（ステップＳ５０４）、報告を受信するまで待つ（ステップＳ５０４：Ｎｏのループ）。アクティブスキャン結果の報告には、たとえば、Ｄ２Ｄ通信を行う各ＵＥが、ＳＣＣにおいてＤ２Ｄ通信が可能であるか否かを示す情報が含まれる。
【００９２】
ステップＳ５０４において、報告を受信すると（ステップＳ５０４：Ｙｅｓ）、ｅＮＢ３００は、ステップＳ５０５へ移行する。すなわち、ｅＮＢ３００は、ステップＳ５０４において受信したアクティブスキャン結果の報告に基づいて、Ｄ２Ｄ通信を行う各ＵＥについて、ＳＣＣにおけるＤ２Ｄ通信が可能か否かを判断する（ステップＳ５０５）。
【００９３】
ステップＳ５０５において、ＳＣＣにおけるＤ２Ｄ通信が可能である場合（ステップＳ５０５：Ｙｅｓ）は、ｅＮＢ３００は、ＳＣＣにおけるＤ２Ｄ通信用の無線リソースを決定し（ステップＳ５０６）、ステップＳ５０８へ移行する。無線リソースは、たとえば周波数リソースや時間リソースなどである。ＳＣＣにおけるＤ２Ｄ通信が可能でない場合（ステップＳ５０５：Ｎｏ）は、ｅＮＢ３００は、ＰＣＣにおけるＤ２Ｄ通信用の無線リソースを決定する（ステップＳ５０７）。
【００９４】
つぎに、ｅＮＢ３００は、ステップＳ５０６，Ｓ５０７のいずれかで決定した無線リソースを示すＤ２Ｄ用リソース情報を各ＵＥへ送信し（ステップＳ５０８）、一連のＤ２Ｄ通信の開始制御処理を終了する。これにより、各ＵＥが、ステップＳ５０８によって送信されたＤ２Ｄ用リソース情報が示す無線リソース（ＰＣＣまたはＳＣＣ）を用いてＤ２Ｄ通信を開始する。
【００９５】
（実施の形態２にかかるＵＥによるＤ２Ｄ通信の開始処理）
図６は、実施の形態２にかかるＵＥによるＤ２Ｄ通信の開始処理の一例を示すフローチャートである。実施の形態２にかかるＵＥ４００は、Ｄ２Ｄ通信の開始処理として、たとえば図６に示す各ステップを実行する。
【００９６】
まず、ＵＥ４００は、ｅＮＢ３００からＰＣＣディスカバリ開始指示を受信したか否かを判断し（ステップＳ６０１）、ＰＣＣディスカバリ開始指示を受信するまで待つ（ステップＳ６０１：Ｎｏのループ）。ＰＣＣディスカバリ開始指示は、ＰＣＣにおける各ディスカバリの開始を指示する信号である。ＰＣＣディスカバリ開始指示を受信すると（ステップＳ６０１：Ｙｅｓ）、ＵＥ４００は、ＰＣＣにおけるデバイス・サービスディスカバリを行う（ステップＳ６０２）。
【００９７】
デバイス・サービスディスカバリは、たとえば、自装置の周辺における他のＵＥを検出するデバイスディスカバリ（近接度検知機能）と、検出したＵＥが提供するサービスやアプリケーションを検出するサービスディスカバリと、を含む。デバイス・サービスディスカバリは、パッシブスキャン信号を送受信することにより行われる。このデバイス・サービスディスカバリには、たとえばＬＴＥ（Ｌｏｎｇ  Ｔｅｒｍ  Ｅｖｏｌｕｔｉｏｎ）のリリース１２において規定されるデバイス・サービスディスカバリを適用することができる。
【００９８】
つぎに、ＵＥ４００は、ステップＳ６０２の各ディスカバリの結果に基づいてＤ２Ｄ通信相手を決定する（ステップＳ６０３）。たとえば、ＵＥ４００は、ＵＥ４００の周辺に位置し、ＵＥ４００との間で所定のＤ２Ｄ通信サービスが可能なＵＥの中からＤ２Ｄ通信相手を決定する。
【００９９】
つぎに、ＵＥ４００は、ステップＳ６０２の各ディスカバリ結果の報告をｅＮＢ３００へ送信する（ステップＳ６０４）。ステップＳ６０４によって送信される報告は、たとえば、ステップＳ６０２によって検出した端末の情報（端末の識別番号、ディスカバリ信号の受信レベル、サービス情報、等）や、ステップＳ６０３で決定したＤ２Ｄ通信相手を示す情報を含む信号である。
【０１００】
つぎに、ＵＥ４００は、アクティブスキャン指示を受信したか否かを判断し（ステップＳ６０５）、アクティブスキャン指示を受信するまで待つ（ステップＳ６０５：Ｎｏのループ）。アクティブスキャン指示は、アクティブスキャンを指示する信号である。アクティブスキャン指示を受信すると（ステップＳ６０５：Ｙｅｓ）、ＵＥ４００は、ＳＣＣのアクティブスキャン信号を送受信することによってＳＣＣにおけるアクティブスキャンを行う（ステップＳ６０６）。
【０１０１】
つぎに、ＵＥ４００は、ステップＳ６０６のアクティブスキャン結果の報告をｅＮＢ３００へ送信する（ステップＳ６０７）。ステップＳ６０７によって送信される報告は、たとえば、ステップＳ６０３によって決定されたＤ２Ｄ通信相手との間でＳＣＣにおけるＤ２Ｄ通信が可能であるか否かを示す信号である。
【０１０２】
つぎに、ＵＥ４００は、ｅＮＢ３００からＤ２Ｄ用リソース情報を受信したか否かを判断し（ステップＳ６０８）、Ｄ２Ｄ用リソース情報を受信するまで待つ（ステップＳ６０８：Ｎｏのループ）。Ｄ２Ｄ用リソース情報は、Ｄ２Ｄ通信用の無線リソースを示す情報である。Ｄ２Ｄ用リソース情報を受信すると（ステップＳ６０８：Ｙｅｓ）、ＵＥ４００は、受信したＤ２Ｄ用リソース情報に基づくＤ２Ｄ通信を開始し（ステップＳ６０９）、一連のＤ２Ｄ通信の開始処理を終了する。
【０１０３】
（実施の形態２にかかる無線通信システムの動作例１）
図７Ａは、実施の形態２にかかる無線通信システムの動作例１を示す図である。実施の形態２にかかる無線通信システム２００は、たとえば図７Ａに示す各ステップのように動作する。まず、ｅＮＢ２１１が、ＰＣＣにおける各ディスカバリの開始を指示するＰＣＣディスカバリ開始指示を送信する（ステップＳ７０１）。図７Ａに示す例では、ステップＳ７０１によって送信されたＰＣＣディスカバリ開始指示がＵＥ２３２，２３３によって受信されたとする。
【０１０４】
つぎに、ＵＥ２３２が、ステップＳ７０１のＰＣＣディスカバリ開始指示に基づいて、ＰＣＣにおけるデバイス・サービスディスカバリを実行する（ステップＳ７０２）。また、ＵＥ２３３が、ステップＳ７０１のＰＣＣディスカバリ開始指示に基づいて、ＰＣＣにおけるデバイス・サービスディスカバリを実行する（ステップＳ７０３）。
【０１０５】
つぎに、ＵＥ２３２が、ステップＳ７０２による各ディスカバリの結果に基づいて、Ｄ２Ｄ通信相手を決定する（ステップＳ７０４）。ここでは、ＵＥ２３２は、ＵＥ２３２の周辺に位置し、ＵＥ２３２との間でＤ２Ｄ通信サービスが可能なＵＥとしてＵＥ２３３を検出し、ＵＥ２３３をＤ２Ｄ通信相手に決定したとする。
【０１０６】
また、ＵＥ２３３が、ステップＳ７０３による各ディスカバリの結果に基づいて、Ｄ２Ｄ通信相手を決定する（ステップＳ７０５）。ここでは、ＵＥ２３３は、ＵＥ２３３の周辺に位置し、ＵＥ２３３との間でＤ２Ｄ通信サービスが可能なＵＥとしてＵＥ２３２を検出し、ＵＥ２３２をＤ２Ｄ通信相手に決定したとする。
【０１０７】
つぎに、ＵＥ２３２が、ステップＳ７０２によるデバイス・サービスディスカバリ結果をｅＮＢ２１１へ報告する（ステップＳ７０６）。たとえば、ＵＥ２３２は、ＰＣＣにおけるＤ２Ｄ通信が可能である旨の報告（通信可）であって、ステップＳ７０４によって決定したＤ２Ｄ通信相手（ＵＥ２３３）を示す情報を含む報告をｅＮＢ２１１へ送信する。
【０１０８】
また、ＵＥ２３３が、ステップＳ７０３によるデバイス・サービスディスカバリ結果をｅＮＢ２１１へ報告する（ステップＳ７０７）。たとえば、ＵＥ２３３は、ＰＣＣにおけるＤ２Ｄ通信が可能である旨の報告（通信可）であって、ステップＳ７０５によって決定したＤ２Ｄ通信相手（ＵＥ２３２）を示す情報を含む報告をｅＮＢ２１１へ送信する。
【０１０９】
つぎに、ｅＮＢ２１１が、ステップＳ７０６，Ｓ７０７によるＵＥ２３２，２３３からの報告に基づいて、アクティブスキャンを指示する個別のアクティブスキャン指示をＵＥ２３２，２３３のそれぞれへ送信する（ステップＳ７０８）。このとき、ｅＮＢ２１１は、ＵＥ２３２，２３３がアクティブスキャン信号を送信するための無線リソースをＵＥ２３２，２３３に割り当て、割り当てた無線リソースをアクティブスキャン指示によって通知してもよい。
【０１１０】
つぎに、ＵＥ２３２，２３３が、互いにＳＣＣにおけるアクティブスキャンを実行する（ステップＳ７０９）。たとえば、ＵＥ２３２，２３３は、互いにアクティブスキャン信号を送受信することによってアクティブスキャンを行う。ただし、ステップＳ７０２，Ｓ７０３におけるサービスディスカバリによってＵＥ２３２，２３３がそれぞれ所定のＤ２Ｄ通信サービスに対応していることは確認済みであるため、ステップＳ７０９では、ＳＣＣにおいて互いに通信が可能かどうかを確認すればよい。このため、ステップＳ７０９では、デバイスディスカバリを行えばよく、サービスディスカバリは行わなくてもよい。
【０１１１】
つぎに、ＵＥ２３２が、ステップＳ７０９におけるアクティブスキャン結果をｅＮＢ２１１へ報告する（ステップＳ７１０）。図７Ａに示す例では、ＵＥ２３２は、ＳＣＣにおけるＤ２Ｄ通信が可能である旨の報告（通信可）をｅＮＢ２１１へ送信する。また、ＵＥ２３３が、ステップＳ７０９におけるアクティブスキャン結果をｅＮＢ２１１へ報告する（ステップＳ７１１）。図７Ａに示す例では、ＵＥ２３３は、ＳＣＣにおけるＤ２Ｄ通信が可能である旨の報告（通信可）をｅＮＢ２１１へ送信する。
【０１１２】
つぎに、ｅＮＢ２１１が、ステップＳ７１０，Ｓ７１１におけるＵＥ２３２，２３３からの報告に基づいて、ＳＣＣにおけるＵＥ２３２，２３３によるＤ２Ｄ通信用の無線リソースを決定する（ステップＳ７１２）。
【０１１３】
つぎに、ｅＮＢ２１１が、ステップＳ７１２によって決定したＳＣＣの無線リソースを示すＤ２Ｄ用リソース情報をＵＥ２３２，２３３のそれぞれへ送信する（ステップＳ７１３）。つぎに、ＵＥ２３２，２３３が、ステップＳ７１３によって送信されたＤ２Ｄ用リソース情報が示すＳＣＣにおける無線リソースを用いて、互いにＳＣＣにおけるＤ２Ｄ通信を開始する（ステップＳ７１４）。
【０１１４】
（実施の形態２にかかる無線通信システムの動作例２）
図７Ｂは、実施の形態２にかかる無線通信システムの動作例２を示す図である。実施の形態２にかかる無線通信システム２００は、たとえば図７Ｂに示す各ステップのように動作する場合もある。図７Ｂに示すステップＳ７２１〜Ｓ７３１は、図７Ａに示したステップＳ７０１〜Ｓ７１１と同様である。ただし、図７Ｂに示す例では、ステップＳ７２９におけるアクティブスキャンにおいて、ＵＥ２３２，２３３は、互いにＳＣＣにおけるＤ２Ｄ通信は不可であると判断したとする。
【０１１５】
この場合は、ステップＳ７３０において、ＵＥ２３２は、ＳＣＣにおけるＤ２Ｄ通信が不可である旨の報告（通信不可）をｅＮＢ２１１へ送信する。また、ステップＳ７３１において、ＵＥ２３３は、ＳＣＣにおけるＤ２Ｄ通信が不可である旨の報告（通信不可）をｅＮＢ２１１へ送信する。
【０１１６】
つぎに、ｅＮＢ２１１が、ステップＳ７３０，Ｓ７３１におけるＵＥ２３２，２３３からの報告に基づいて、ＰＣＣにおけるＵＥ２３２，２３３によるＤ２Ｄ通信用の無線リソースを決定する（ステップＳ７３２）。
【０１１７】
つぎに、ｅＮＢ２１１が、ステップＳ７３２によって決定したＰＣＣの通信キャリアを示すＤ２Ｄ用リソース情報をＵＥ２３２，２３３のそれぞれへ送信する（ステップＳ７３３）。つぎに、ＵＥ２３２，２３３が、ステップＳ７３３によって送信されたＤ２Ｄ用リソース情報が示すＰＣＣにおける無線リソースを用いて、互いにＰＣＣにおけるＤ２Ｄ通信を開始する（ステップＳ７３４）。
【０１１８】
このように、実施の形態２によれば、ＰＣＣでのディスカバリの後にＳＣＣでのアクティブスキャン（Ｐｒｏｂｉｎｇ）が行われる。たとえば、ＰＣＣでは、比較的大きなサイズのディスカバリ信号を用いるデバイス・サービスディスカバリ（パッシブスキャン）が行われる。また、ＳＣＣでは、アクティブスキャン（特定相手先との間の疎通確認）が行われる。
【０１１９】
アクティブスキャンにおいては、サービスディスカバリが不要であるため、ディスカバリ信号のサイズを比較的小さくすることができる。したがって、ＳＣＣではアクティブスキャンを行うようにすることで、ＳＣＣにおけるディスカバリのためのトラフィックを低減し、ＳＣＣの輻輳低減を図ることができる。このため、たとえばＳＣＣが他の通信システムとの共用チャネルとなるアンライセンスドバンドである場合であっても、他の通信システムへの影響を抑えつつ効率よく通信を行うことができる。
【０１２０】
また、ＳＣＣにおけるアクティブスキャンの結果、ＳＣＣでのＤ２Ｄ通信が不可であった場合であっても、ＰＣＣでのＤ２Ｄ通信が可能であることは確認済みであるため、たとえば再度のディスカバリを行わなくてもＰＣＣでのＤ２Ｄ通信を行うことができる。
【０１２１】
（実施の形態３）
実施の形態３について、実施の形態２と異なる部分について説明する。
【０１２２】
（実施の形態３にかかるｅＮＢによるＤ２Ｄ通信の開始制御処理）
図８は、実施の形態３にかかるｅＮＢによるＤ２Ｄ通信の開始制御処理の一例を示すフローチャートである。実施の形態３にかかるｅＮＢ３００は、Ｄ２Ｄ通信の開始制御処理として、たとえば図８に示す各ステップを実行する。図８に示すステップＳ８０１，Ｓ８０２は、図５に示したステップＳ５０１，Ｓ５０２と同様である。
【０１２３】
ステップＳ８０２のつぎに、ｅＮＢ３００は、ステップＳ８０２によって受信した各ディスカバリ結果の報告が示すＤ２Ｄ通信相手に基づいて、ＵＥサブセットの決定と、ディスカバリ用の無線リソースの割り当てと、を行う（ステップＳ８０３）。
【０１２４】
ＵＥサブセットは、Ｄ２Ｄ通信が可能であることをｅＮＢ３００へ報告したＵＥの集合である。つまり、ＵＥサブセットは、ステップＳ８０１のＰＣＣディスカバリ開始指示に基づいてＤ２Ｄリンクのペアリングが完了したＵＥの組の和集合である。ディスカバリ用の無線リソースは、ＳＣＣにおけるデバイスディスカバリのための無線リソースである。
【０１２５】
つぎに、ｅＮＢ３００は、ＰＣＣおよびＳＣＣでＲＴＳ（Ｒｅｑｕｅｓｔ  Ｔｏ  Ｓｅｎｄ：送信要求）信号を送信する（ステップＳ８０４）。ステップＳ８０４によって送信されるＲＴＳ信号は、ステップＳ８０３によってディスカバリ用の無線リソースとして割り当てられた無線リソースの予約を要求するＲＴＳ信号である。
【０１２６】
つぎに、ｅＮＢ３００は、ステップＳ８０３によって決定したＵＥサブセットの各ＵＥに対するＳＣＣディスカバリ開始指示を送信する（ステップＳ８０５）。ＳＣＣディスカバリ開始指示は、ＳＣＣにおけるパッシブスキャンによるデバイスディスカバリを指示する信号である。
【０１２７】
つぎに、ｅＮＢ３００は、ステップＳ８０５によって送信したＳＣＣディスカバリ開始指示に対するデバイスディスカバリ結果の報告を受信したか否かを判断し（ステップＳ８０６）、デバイスディスカバリ結果の報告を受信するまで待つ（ステップＳ８０６：Ｎｏのループ）。デバイスディスカバリ結果の報告には、たとえば、各ＵＥが決定したＤ２Ｄ通信相手を示す情報が含まれる。デバイスディスカバリ結果の報告を受信すると（ステップＳ８０６：Ｙｅｓ）、ステップＳ８０７へ移行する。
【０１２８】
図８に示すステップＳ８０７〜Ｓ８１０は、図５に示したステップＳ５０５〜Ｓ５０８と同様である。ただし、ｅＮＢ３００は、ＵＥサブセットのうちのＳＣＣでのＤ２Ｄ通信が可能と報告したＵＥの組ごとに、ＳＣＣにおけるＤ２Ｄ通信用の無線リソースを割り当てる。また、ｅＮＢ３００は、ＵＥサブセットのうちのＳＣＣでのＤ２Ｄ通信が不可と報告したＵＥの組ごとに、ＰＣＣにおけるＤ２Ｄ通信用の無線リソースを割り当てる。これにより、各ＵＥが、ｅＮＢ３００によって割り当てられたＤ２Ｄ通信用の無線リソース（ＰＣＣ上またはＳＣＣ上）を用いてＤ２Ｄ通信を開始する。
【０１２９】
（実施の形態３にかかるＵＥによるＤ２Ｄ通信の開始処理）
図９は、実施の形態３にかかるＵＥによるＤ２Ｄ通信の開始処理の一例を示すフローチャートである。実施の形態３にかかるＵＥ４００は、Ｄ２Ｄ通信の開始処理として、たとえば図９に示す各ステップを実行する。図９に示すステップＳ９０１〜Ｓ９０４は、図６に示したステップＳ６０１〜Ｓ６０４と同様である。
【０１３０】
ステップＳ９０４のつぎに、ＵＥ４００は、ＳＣＣディスカバリ開始指示を受信したか否かを判断し（ステップＳ９０５）、ＳＣＣディスカバリ開始指示を受信するまで待つ（ステップＳ９０５：Ｎｏのループ）。ＳＣＣディスカバリ開始指示を受信すると（ステップＳ９０５：Ｙｅｓ）、ＵＥ４００は、ＳＣＣにおけるデバイスディスカバリを行う（ステップＳ９０６）。ステップＳ９０６によるデバイスディスカバリは、たとえばパッシブスキャン信号を送受信するパッシブスキャンによって行うことができる。
【０１３１】
つぎに、ステップＳ９０６のデバイスディスカバリ結果の報告をｅＮＢ３００へ送信する（ステップＳ９０７）。ステップＳ９０７によって送信される各ディスカバリ結果の報告には、たとえばステップＳ９０３によって決定されたＤ２Ｄ通信相手との間でＳＣＣにおけるＤ２Ｄ通信が可能か否かを示す情報が含まれる。ステップＳ９０８，Ｓ９０９は、図６に示したステップＳ６０８，Ｓ６０９と同様である。
【０１３２】
（実施の形態３にかかる無線通信システムの動作例１）
図１０Ａは、実施の形態３にかかる無線通信システムの動作例１を示す図である。実施の形態３にかかる無線通信システム２００は、たとえば図１０Ａに示す各ステップのように動作する。図１０Ａに示すステップＳ１００１〜Ｓ１００７は、図７Ａに示したステップＳ７０１〜Ｓ７０７と同様である。
【０１３３】
ただし、図１０Ａに示す例では、ＵＥ２３２，２３３だけでなく、複数組のＵＥが、デバイス・サービスディスカバリの結果、互いにＤ２Ｄ通信であることをｅＮＢ２１１へ報告したとする。これに対して、ｅＮＢ２１１は、各ＵＥからの報告に基づいて、ＵＥサブセットの決定と、ディスカバリ用の無線リソースの割り当てと、を行う（ステップＳ１００８）。
【０１３４】
つぎに、ｅＮＢ３００は、ＰＣＣおよびＳＣＣで、ステップＳ１００８によってディスカバリ用の無線リソースとして割り当てた無線リソースの予約を要求するＲＴＳ信号を送信する（ステップＳ１００９）。
【０１３５】
つぎに、ｅＮＢ３００は、ステップＳ１００８によって決定したＵＥサブセットに含まれる各ＵＥに対するＳＣＣディスカバリ開始指示を送信する（ステップＳ１０１０）。
【０１３６】
つぎに、ＵＥサブセットに含まれる各ＵＥ（ＵＥ２３２，２３３を含む）が、互いにＳＣＣにおけるデバイスディスカバリを実行する（ステップＳ１０１１）。ステップＳ１０１１においては、たとえば、各ＵＥが、互いにパッシブスキャン信号を送受信することによってパッシブスキャンを行う。
【０１３７】
ただし、ステップＳ１００２，Ｓ１００３におけるサービスディスカバリによって各ＵＥが所定のＤ２Ｄ通信サービスに対応していることは確認済みであるため、ステップＳ１０１１では、ＳＣＣにおいて互いに通信が可能かどうかを確認すればよい。このため、ステップＳ１０１１では、デバイスディスカバリを行えばよく、サービスディスカバリは行わなくてもよい。
【０１３８】
つぎに、ＵＥ２３２が、ステップＳ１０１１におけるデバイスディスカバリの結果をｅＮＢ２１１へ報告する（ステップＳ１０１２）。図１０Ａに示す例では、ＵＥ２３２は、ＳＣＣにおけるＤ２Ｄ通信が可能である旨の報告（通信可）であって、ステップＳ１００４によって決定したＤ２Ｄ通信相手（ＵＥ２３３）を示す情報を含む報告をｅＮＢ２１１へ送信する。
【０１３９】
また、ＵＥ２３３が、ステップＳ１０１１におけるアクティブスキャンの結果をｅＮＢ２１１へ報告する（ステップＳ１０１３）。図１０Ａに示す例では、ＵＥ２３３は、ＳＣＣにおけるＤ２Ｄ通信が可能である旨の報告（通信可）であって、ステップＳ１００５によって決定したＤ２Ｄ通信相手（ＵＥ２３２）を示す情報を含む報告をｅＮＢ２１１へ送信する。
【０１４０】
これにより、ｅＮＢ２１１は、ＵＥ２３２，２３３がＳＣＣにおいてＤ２Ｄ通信可能であると判断することができる。また、ＵＥサブセットに含まれる各ＵＥのうちのＵＥ２３２，２３３と異なるＵＥも、ＵＥ２３２，２３３と同様にｅＮＢ２１１へ報告を行う。図１０Ａに示すステップＳ１０１４〜Ｓ１０１６は、図７Ａに示したステップＳ７１２〜Ｓ７１４と同様である。
【０１４１】
ただし、ｅＮＢ２１１は、ＵＥサブセットに含まれる各ＵＥのうちの、ＵＥ２３２，２３３と異なる、ＳＣＣにおけるＤ２Ｄ通信が可能であることを報告した各ＵＥについても同様に、ＳＣＣにおけるＤ２Ｄ通信用の無線リソースを割り当てる。これにより、ＵＥサブセットに含まれる各ＵＥが、ＳＣＣにおけるＤ２Ｄ通信が可能である場合に、ＳＣＣの無線リソースを割り当てられ、ＳＣＣにおけるＤ２Ｄ通信を開始することができる。
【０１４２】
（実施の形態３にかかる無線通信システムの動作例２）
図１０Ｂは、実施の形態３にかかる無線通信システムの動作例２を示す図である。図１０Ｂに示すステップＳ１０２１〜Ｓ１０３３は、図１０Ａに示したステップＳ１００１〜Ｓ１０１３と同様である。ただし、図１０Ｂに示す例では、ステップＳ１０３１におけるデバイスディスカバリにおいて、ＵＥ２３２，２３３は、互いにＳＣＣにおけるＤ２Ｄ通信は不可であると判断したとする。
【０１４３】
この場合は、ステップＳ１０３２において、ＵＥ２３２は、ＳＣＣにおけるＤ２Ｄ通信が不可である旨の報告（通信不可）をｅＮＢ２１１へ送信する。また、ステップＳ１０３３において、ＵＥ２３３は、ＳＣＣにおけるＤ２Ｄ通信が不可である旨の報告（通信不可）をｅＮＢ２１１へ送信する。
【０１４４】
つぎに、ｅＮＢ２１１が、ステップＳ１０３２，Ｓ１０３３におけるＵＥ２３２，２３３からの報告に基づいて、ＰＣＣにおけるＵＥ２３２，２３３によるＤ２Ｄ通信用の無線リソースを決定する（ステップＳ１０３４）。
【０１４５】
つぎに、ｅＮＢ２１１が、ステップＳ１０３４によって決定したＰＣＣの無線リソースを示すＤ２Ｄ用リソース情報をＵＥ２３２，２３３のそれぞれへ送信する（ステップＳ１０３５）。つぎに、ＵＥ２３２，２３３が、ステップＳ１０３５によって送信されたＤ２Ｄ用リソース情報が示すＰＣＣにおける無線リソースを用いて、互いにＰＣＣにおけるＤ２Ｄ通信を開始する（ステップＳ１０３６）。
【０１４６】
（ＳＣＣにおけるディスカバリ信号の送信）
図１１は、ＳＣＣにおけるディスカバリ信号の送信の一例を示す図である。図１１において、横軸は時間リソース（ｔ）を示し、縦軸は周波数リソース（ｆ）を示している。縦軸のＰＣＣは、ライセンスド（Ｌｉｃｅｎｓｅｄ）バンドであるＰＣＣの帯域を示している。縦軸のＳＣＣは、アンライセンスド（Ｕｎｌｉｃｅｎｓｅｄ）バンドであるＳＣＣの帯域を示している。
【０１４７】
図１１に示す例では、たとえば図１０ＡのステップＳ１００８でｅＮＢ２１１が決定したＵＥサブセットには、ＵＥ＃１〜＃８の８つのＵＥが含まれているとする。一例としては、ＵＥ＃１とＵＥ＃５が互いにＰＣＣでＤ２Ｄ通信が可能と判断した組であるとする。同様に、ＵＥ＃２とＵＥ＃６、ＵＥ＃３とＵＥ＃７、ＵＥ＃４とＵＥ＃８がそれぞれ互いにＤ２Ｄ通信相手であるとする。
【０１４８】
リソース予約期間１１０１は、たとえば図１０ＡのステップＳ１００８においてｅＮＢ２１１が割り当てたディスカバリ用の無線リソースの期間である。
【０１４９】
たとえば図１０ＡのステップＳ１００９において、ｅＮＢ２１１は、ＰＣＣのＲＴＳ信号１１０２を送信する。また、ｅＮＢ２１１は、キャリアセンス１１０３の後に、ＳＣＣのＲＴＳ信号１１０４を送信する。ＲＴＳ信号１１０２，１１０４のそれぞれは、リソース予約期間１１０１におけるＳＣＣの予約を要求するＲＴＳ信号である。
【０１５０】
ＵＥサブセット以外のＵＥは、たとえばＳＣＣのＲＴＳ信号１１０４を受信すると、ＲＴＳ信号１１０４が示すリソース予約期間１１０１におけるＳＣＣでの無線送信を行わないようにする。これにより、ＲＴＳ信号１１０４において、ＵＥサブセットの各ＵＥがチャネルを占有することができる。
【０１５１】
ＵＥ＃１〜＃８は、たとえば図１０ＡのステップＳ１０１１において、ＲＴＳ信号１１０２，１１０４が示すディスカバリ用のＳＣＣの無線リソースによって、ＳＣＣにおけるデバイスディスカバリ１１０５を実施する。このとき、ＵＥ＃１〜＃８は、リソース予約期間１１０１におけるＳＣＣのうちの任意の無線リソースによってデバイスディスカバリ１１０５を実施することができる。
【０１５２】
たとえば、ＰＣＣで互いにＤ２Ｄ通信可能と判断したＵＥ＃１，＃５（たとえばＵＥ２３２，２３３）は、リソース予約期間１１０１のＳＣＣにおいて異なる時刻でパッシブスキャン信号を送受信することにより、ＳＣＣでも互いにＤ２Ｄ通信可能であるか否かを判断する。ＵＥは信号を送信している期間では、同じキャリア周波数の信号を通常は受信することができない。したがって、ＵＥ＃１，＃５は、ＵＥ＃２〜＃４，＃６〜＃８が送信するパッシブスキャン信号は受信できない。
【０１５３】
ＵＥ＃１，＃５は、ＳＣＣでも互いにＤ２Ｄ通信可能であると判断すると、たとえば図１０ＡのステップＳ１０１２，Ｓ１０１３においてその旨を報告する。これにより、ｅＮＢ２１１によってＵＥ＃１，＃５にＤ２Ｄ用のＳＣＣの無線リソースが割り当てられ、ＵＥ＃１，＃５がＳＣＣにおけるＤ２Ｄ通信を開始することができる。
【０１５４】
また、ＵＥ＃１，＃５は、ＳＣＣでは互いにＤ２Ｄ通信不可であると判断すると、たとえば図１０ＢのステップＳ１０３２，Ｓ１０３３においてその旨を報告する。これにより、ｅＮＢ２１１によってＵＥ＃１，＃５にＤ２Ｄ用のＰＣＣの無線リソースが割り当てられ、ＵＥ＃１，＃５がＰＣＣにおけるＤ２Ｄ通信を開始することができる。
【０１５５】
たとえばＳＣＣが無線ＬＡＮ（Ｌｏｃａｌ  Ａｒｅａ  Ｎｅｔｗｏｒｋ：構内通信網）と同じアンライセンスドバンドである場合は、ＲＴＳ信号１１０４を無線ＬＡＮで規定されているＲＴＳ信号としてもよい。これにより、無線ＬＡＮからのデバイスディスカバリ１１０５への干渉を抑制することができる。
【０１５６】
この場合に、たとえばＬＴＥ端末はＲＴＳ信号１１０４を認識することができない。これに対しては、ＬＴＥ端末が認識可能なＰＣＣのＲＴＳ信号１１０２も送信することで、ＬＴＥ端末からのデバイスディスカバリ１１０５への干渉を抑制することができる。
【０１５７】
このように、ＬＴＥ端末が認識可能なＲＴＳ信号１１０２をＰＣＣで送信し、無線ＬＡＮで規定されているＲＴＳ信号１１０４をＳＣＣで送信することで、ＬＴＥ端末および無線ＬＡＮの双方からのデバイスディスカバリ１１０５への干渉を抑制することができる。
【０１５８】
このように、実施の形態３によれば、ＰＣＣでのディスカバリの後にＳＣＣでＵＥを限定したパッシブスキャンが行われる。たとえば、ｅＮＢ２１１は、ＰＣＣでのディスカバリ結果に基づいてＳＣＣで相互スキャンさせるＵＥサブセットを決定し、ＵＥサブセットへのディスカバリ用の無線リソースを割り当てる。これにより、ＵＥサブセットに含まれる各ＵＥが、ｅＮＢ２１１によって割り当てられたディスカバリ用の無線リソースによってＳＣＣでパッシブスキャンを実行することができる。
【０１５９】
したがって、Ｄ２Ｄ通信を行わないＵＥによるディスカバリ信号の送受信を抑制できるため、ＳＣＣにおけるディスカバリのためのトラフィックを低減し、ＳＣＣの輻輳低減を図ることができる。また、ディスカバリ信号を送受信するＵＥが少なくなるため、たとえば共用チャネルであるＳＣＣでディスカバリを行う場合の課題であるディスカバリに要する時間の増大を低減できる。
【０１６０】
また、たとえばＳＣＣでのディスカバリにアクティブスキャンを用いる場合に比べて、ＳＣＣでのディスカバリを行う各ＵＥに対して個別のアクティブスキャン指示を送信しなくてもよい。このため、ＳＣＣにおけるディスカバリのためのトラフィックを低減し、ＳＣＣの輻輳低減を図ることができる。
【０１６１】
このため、たとえばＳＣＣが他の通信システムとの共用チャネルとなるアンライセンスドバンドである場合であっても、他の通信システムへの影響を抑えつつ効率よく通信を行うことができる。
【０１６２】
また、ＳＣＣにおけるパッシブスキャンの結果、ＳＣＣでのＤ２Ｄ通信が不可であった場合であっても、ＰＣＣでのＤ２Ｄ通信が可能であることは確認済みであるため、たとえば再度のディスカバリを行わなくてもＰＣＣでのＤ２Ｄ通信を行うことができる。
【０１６３】
図１２Ａおよび図１２Ｂは、ディスカバリメッセージの一例を示す図である。ＬＴＥ−Ａｄｖａｎｃｅｄでは、端末間の直接無線通信を実現するための仕組みが検討されている。たとえば、各端末がディスカバリ信号の送信を行い、近傍の端末がこれを検出することにより、直接通信可能なデバイスおよびそのデバイスが提供するサービスに関する情報を取得する方法が検討されている。
【０１６４】
この場合のディスカバリ信号としてはたとえば図１２Ａに示すディスカバリメッセージ１２１０や図１２Ｂに示すディスカバリメッセージ１２２０を各端末が送信することが検討されている。ディスカバリメッセージ１２１０は、Ｎｏｎ−ｐｕｂｌｉｃ  ｓａｆｅｔｙ  ｏｐｅｎ  ｄｉｓｃｏｖｅｒｙ  ｕｓｅ  ｃａｓｅにおける１９２ビットのディスカバリメッセージである。ディスカバリメッセージ１２２０は、Ｐｕｂｌｉｃ  ｓａｆｅｔｙ  ｕｓｅ  ｃａｓｅにおけるディスカバリメッセージである。
【０１６５】
上述したパッシブスキャン信号には、たとえば、デバイスが提供するサービスに関する情報を含むディスカバリメッセージ１２１０やディスカバリメッセージ１２２０を用いることができる。一方、上述したアクティブスキャンメッセージは、デバイスが提供するサービスに関する情報を含まないディスカバリメッセージとすることができる。
【０１６６】
以上説明したように、無線通信システム、端末、基地局および処理方法によれば、ＰＣＣとＳＣＣの周波数が離れていてもＳＣＣでのＤ２Ｄ通信を可能にすることができる。
【０１６７】
たとえば、従来、現状のＬＴＥ仕様へのインパクトを考慮して、ライセンスドバンドを用いたＬＴＥにおける付加的キャリアとしてアンライセンスドバンドを利用する方法が検討されている。この方法において、制御情報の伝送については、たとえばライセンスドバンドのキャリアを用いることが検討されている。
【０１６８】
この方法において、たとえばアンライセンスドバンドにおける無線ＬＡＮとの共存方法などが検討されている。そして、このアンライセンスドバンドを、ｅＮＢとＵＥ間の通信だけでなく、Ｄ２Ｄ通信にも利用するシナリオも検討されている。
【０１６９】
たとえば、ＰＣＣ（ライセンスドバンド）とＳＣＣ（アンライセンスドバンド）でディスカバリを行う場合に、ＰＣＣとＳＣＣ間の周波数が離れていると（たとえばＰＣＣが２［ＧＨｚ］、ＳＣＣが５．８［ＧＨｚ］など）、ミスマッチが起きる。すなわち、たとえばＰＣＣでは検出されたデバイスが、ＳＣＣでは伝搬特性が異なるために通信できない場合などが考えられる。
【０１７０】
これに対して、ＰＣＣで行っているディスカバリの手順をそのままＳＣＣで行う方法が考えられるが、以下の問題がある。すなわち、ＳＣＣは共用チャネルであるため、チャネルのアクセス制御にはＣＳＭＡ／ＣＡ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ａｖｏｉｄａｎｃｅ：搬送波感知多重アクセス／衝突回避）などを用いることになる。このため、基地局側で正確なスケジューリングができず、またサブバンド単位のアクセス制御ができないため、ディスカバリの効率がＰＣＣに比べて低くなる場合がある。
【０１７１】
これに対して、上述した各実施の形態によれば、ＰＣＣ上では、比較的大きなサイズのディスカバリ信号を用いるデバイスおよびサービスディスカバリ（パッシブスキャン）を行うことができる。そして、ＳＣＣ上ではディスカバリ信号のサイズを小さくできるアクティブスキャン、または端末を限定したパッシブスキャンを行うことができる。
【０１７２】
これにより、デバイス間通信におけるディスカバリにおいて、ＰＣＣとＳＣＣ間の周波数が離れている場合におけるディスカバリのミスマッチを回避できる。また、ＳＣＣにおけるディスカバリのためのトラフィックを低減することができる。このため、周波数が離れたＰＣＣとＳＣＣでＤ２Ｄ通信を行う場合のＳＣＣのディスカバリの効率の向上を図ることができる。
【符号の説明】
【０１７３】
１００，２００  無線通信システム
１１０，１２０  端末
１１１  検出部
１１２  通信部
１３０  基地局
１３１  制御部
２１１〜２１３，３００  ｅＮＢ
２２１〜２２３  マクロセル
２３１〜２３９，４００  ＵＥ
３０１，３１６，４０１  アンテナ
３０２，３１５，４０２，４２０  無線処理部
３０３，４０３，４１７  ＦＦＴ処理部
３０４，４０６  復調部
３０５，４０７  復号部
３０６  ＭＡＣ・ＲＬＣ処理部
３０７  無線リソース制御部
３０８  ＭＡＣ制御部
３０９  パケット生成部
３１０  ＭＡＣスケジューリング部
３１１  符号化部
３１２  変調部
３１３，４１４，４１６  多重部
３１４，４０５，４１９  ＩＦＦＴ処理部
３５０  無線通信装置
３５１  送受信アンテナ
３５２，３５９  アンプ
３５３，３５８  乗算部
３５４  アナログデジタル変換器
３５５  プロセッサ
３５６  メモリ
３５７  デジタルアナログ変換器
３６０  発振器
４０４  等化処理部
４０８  応答信号検出部
４０９  ディスカバリ信号検出部
４１０  キャリアセンス部
４１１  制御情報処理部
４１２  ディスカバリ信号生成部
４１３  データ処理部
４１５  シンボルマッピング部
４１８  周波数マッピング部
１１０１  リソース予約期間
１１０２，１１０４  ＲＴＳ信号
１１０３  キャリアセンス
１１０５  デバイスディスカバリ
１２１０，１２２０  ディスカバリメッセージ
【図１Ａ】
2015170392.tif 000003
【図１Ｂ】
2015170392.tif 000004
【図２】
2015170392.tif 000005
【図３Ａ】
2015170392.tif 000006
【図３Ｂ】
2015170392.tif 000007
【図３Ｃ】
2015170392.tif 000008
【図３Ｄ】
2015170392.tif 000009
【図４Ａ】
2015170392.tif 000010
【図４Ｂ】
2015170392.tif 000011
【図５】
2015170392.tif 000012
【図６】
2015170392.tif 000013
【図７Ａ】
2015170392.tif 000014
【図７Ｂ】
2015170392.tif 000015
【図８】
2015170392.tif 000016
【図９】
2015170392.tif 000017
【図１０Ａ】
2015170392.tif 000018
【図１０Ｂ】
2015170392.tif 000019
【図１１】
2015170392.tif 000020
【図１２Ａ】
2015170392.tif 000021
【図１２Ｂ】
2015170392.tif 000022
【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
第１帯域の第１検出用信号を用いて前記第１帯域において自端末と直接無線通信が可能な他端末を検出し、検出した前記他端末を宛先とする第２帯域の第２検出用信号を送信することによって前記第２帯域において前記他端末と直接無線通信が可能か否かの判断を行い、前記判断の結果に基づいて前記第１帯域および前記第２帯域の少なくともいずれかにおいて前記他端末と直接無線通信を行う端末と、
前記端末が接続する基地局であって、前記第１検出用信号および前記第２検出用信号の送信を制御する基地局と、
を含むことを特徴とする無線通信システム。
【請求項２】
前記端末は、
周辺の端末から送信される前記第１検出用信号を受信することによって前記周辺の端末の中から前記他端末を検出し、
前記他端末を宛先とする前記第２検出用信号を送信し、送信した前記第２検出用信号に対する前記他端末からの応答信号を受信することによって前記第２帯域において前記他端末と直接無線通信が可能か否かの判断を行う、
ことを特徴とする請求項１に記載の無線通信システム。
【請求項３】
前記基地局は、
自局に接続している端末に対して前記第１検出用信号の送信を指示する信号を送信し、
前記第１検出用信号を用いた前記他端末の検出の結果を前記端末から受信し、
前記端末に対して前記第２検出用信号の送信を指示する信号を送信する、
ことを特徴とする請求項１または２に記載の無線通信システム。
【請求項４】
前記第１帯域は、自システムの専用の帯域であり、
前記第２帯域は、前記自システムと他の無線通信システムとの共用の帯域である、
ことを特徴とする請求項１〜３のいずれか一つに記載の無線通信システム。
【請求項５】
第１帯域の第１検出用信号を用いて前記第１帯域において自端末と直接無線通信が可能な他端末を検出し、検出した前記他端末を宛先とする第２帯域の第２検出用信号を送信することによって前記第２帯域において前記他端末と直接無線通信が可能か否かの判断を行う検出部と、
前記検出部による前記判断の結果に基づいて前記第１帯域および前記第２帯域の少なくともいずれかにおいて前記他端末と直接無線通信を行う通信部と、
を備えることを特徴とする端末。
【請求項６】
自局に接続する端末に対して、
第１帯域の第１検出用信号を用いて前記第１帯域において前記端末と直接無線通信が可能な他端末を検出させ、
前記端末が検出した前記他端末を宛先とする第２帯域の第２検出用信号を送信することによって前記第２帯域において前記他端末と直接無線通信が可能か否かの判断を行わせ、
前記判断の結果に基づいて前記第１帯域および前記第２帯域の少なくともいずれかにおいて前記他端末と直接無線通信を行わせる、
制御を行う制御部を備えることを特徴とする基地局。
【請求項７】
端末における処理方法であって、
第１帯域の第１検出用信号を用いて前記第１帯域において前記端末と直接無線通信が可能な他端末を検出し、
検出した前記他端末を宛先とする第２帯域の第２検出用信号を送信することによって前記第２帯域において前記他端末と直接無線通信が可能か否かの判断を行い、
前記判断の結果に基づいて前記第１帯域および前記第２帯域の少なくともいずれかにおいて前記他端末と直接無線通信を行う、
ことを特徴とする処理方法。
【請求項８】
端末が接続する基地局における処理方法であって、
前記端末に対して、
第１帯域の第１検出用信号を用いて前記第１帯域において前記端末と直接無線通信が可能な他端末を検出させ、
前記端末が検出した前記他端末を宛先とする第２帯域の第２検出用信号を送信することによって前記第２帯域において前記他端末と直接無線通信が可能か否かの判断を行わせ、
前記判断の結果に基づいて前記第１帯域および前記第２帯域の少なくともいずれかにおいて前記他端末と直接無線通信を行わせる、
制御を行うことを特徴とする処理方法。
【請求項９】
第１帯域の第１検出用信号を用いて前記第１帯域において自端末と直接無線通信が可能な他端末を互いに検出する複数の端末であって、前記複数の端末のうちの前記第１検出用信号によって検出された端末のそれぞれが、第２帯域の第２検出用信号を互いに送信することによって前記第２帯域において互いに直接無線通信が可能か否かの判断を行い、前記判断の結果に基づいて前記第１帯域および前記第２帯域の少なくともいずれかにおいて前記直接無線通信を行う複数の端末と、
前記複数の端末が無線接続する基地局であって、前記第１検出用信号および前記第２検出用信号の送信を制御する基地局と、
を含むことを特徴とする無線通信システム。
【請求項１０】
前記複数の端末のそれぞれは、周辺の端末から送信される前記第１検出用信号を受信することによって前記周辺の端末の中から前記他端末を検出し、
前記検出された端末のそれぞれは、前記検出された端末のうちの他の端末から送信された前記第２検出用信号に基づいて前記第２帯域において自端末と直接無線通信が可能な端末を検出することにより前記第２帯域において互いに直接無線通信が可能か否かの判断を行う、
ことを特徴とする請求項９に記載の無線通信システム。
【請求項１１】
前記基地局は、
自局に接続している端末に対して前記第１検出用信号の送信を指示する信号を送信し、
前記第１検出用信号を用いた前記他端末の検出の結果を前記端末から受信し、
受信した前記結果に基づいて、前記検出された端末に対して前記第２検出用信号の送信を指示する信号を送信する、
ことを特徴とする請求項９または１０に記載の無線通信システム。
【請求項１２】
前記基地局は、前記検出された端末が前記第２検出用信号を送信するための前記第２帯域の無線リソースを割り当て、
前記検出された端末のそれぞれは、前記基地局によって割り当てられた無線リソースによって前記第２検出用信号を互いに送信する、
ことを特徴とする請求項１１に記載の無線通信システム。
【請求項１３】
前記基地局は、前記第２検出用信号を送信するための前記第２帯域の無線リソースを予約する予約信号を前記第２帯域で送信し、
前記検出された端末のそれぞれは、前記予約信号によって予約された無線リソースによって前記第２検出用信号を互いに送信する、
ことを特徴とする請求項９〜１２のいずれか一つに記載の無線通信システム。
【請求項１４】
前記基地局は、前記第２検出用信号を送信する前記第２帯域の無線リソースを予約する予約信号を前記第１帯域および前記第２帯域で送信することを特徴とする請求項９〜１３のいずれか一つに記載の無線通信システム。
【請求項１５】
自端末とは異なる端末とともに、第１帯域の第１検出用信号を用いて前記第１帯域において直接無線通信が可能な他端末を互いに検出し、前記第１検出用信号によって自端末が検出された場合に、前記第１検出用信号によって検出された他の端末とともに、第２帯域の第２検出用信号を互いに送信することによって前記第２帯域において互いに直接無線通信が可能か否かの判断を行う検出部と、
前記検出部による前記判断の結果に基づいて前記第１帯域および前記第２帯域の少なくともいずれかにおいて前記直接無線通信を行う通信部と、
を備えることを特徴とする端末。
【請求項１６】
自局に接続する複数の端末に対して、第１帯域の第１検出用信号を用いて前記第１帯域において自端末と直接無線通信が可能な他端末を互いに検出させ、
前記複数の端末のうちの前記第１検出用信号によって検出された端末のそれぞれに対して、第２帯域の第２検出用信号を互いに送信することによって前記第２帯域において互いに直接無線通信が可能か否かの判断を行わせ、前記判断の結果に基づいて前記第１帯域および前記第２帯域の少なくともいずれかにおいて前記直接無線通信を行わせる、
制御を行う制御部を備えることを特徴とする基地局。
【請求項１７】
端末における処理方法であって、
自端末とは異なる端末とともに、第１帯域の第１検出用信号を用いて前記第１帯域において直接無線通信が可能な他端末を互いに検出し、
前記第１検出用信号によって自端末が検出された場合に、前記第１検出用信号によって検出された他の端末とともに、第２帯域の第２検出用信号を互いに送信することによって前記第２帯域において互いに直接無線通信が可能か否かの判断を行い、
前記判断の結果に基づいて前記第１帯域および前記第２帯域の少なくともいずれかにおいて前記直接無線通信を行う、
ことを特徴とする処理方法。
【請求項１８】
複数の端末が接続する基地局における処理方法であって、
自局に接続する複数の端末に対して、第１帯域の第１検出用信号を用いて前記第１帯域において自端末と直接無線通信が可能な他端末を互いに検出させ、
前記複数の端末のうちの前記第１検出用信号によって検出された端末のそれぞれに対して、第２帯域の第２検出用信号を互いに送信することによって前記第２帯域において互いに直接無線通信が可能か否かの判断を行わせ、
前記判断の結果に基づいて前記第１帯域および前記第２帯域の少なくともいずれかにおいて前記直接無線通信を行わせる、
制御を行うことを特徴とする処理方法。
【手続補正２】
【補正対象書類名】明細書
【補正対象項目名】全文
【補正方法】変更
【補正の内容】
【発明の詳細な説明】
【技術分野】
【０００１】
本発明は、無線通信システム、端末、基地局および処理方法に関する。
【背景技術】
【０００２】
セルラー無線通信システムにおいて、その通信事業者が免許を受けた帯域（ライセンスドバンド）で運用する通信キャリア（ＰＣＣ（Ｐｒｉｍａｒｙ  Ｃｏｍｐｏｎｅｎｔ  Ｃａｒｒｉｅｒ：プライマリコンポーネントキャリア））に加えて、従来、無線ＬＡＮ（Ｌｏｃａｌ  Ａｒｅａ  Ｎｅｔｗｏｒｋ：構内通信網）などに用いられている免許不要で使用できる帯域（アンライセンスドバンド）を、ＳＣＣ（Ｓｅｃｏｎｄａｒｙ  Ｃｏｍｐｏｎｅｎｔ  Ｃａｒｒｉｅｒ：セカンダリコンポーネントキャリア）として双方を束ねて使用する技術が検討されている。
【０００３】
また、アンライセンスドバンドを、基地局と端末との間の通信だけでなく、基地局を介さずに端末同士が直接通信を行うＤ２Ｄ（Ｄｅｖｉｃｅ  ｔｏ  Ｄｅｖｉｃｅ：デバイス間）通信にも利用することが検討されている。
【０００４】
たとえば、移動局からのＤ２Ｄ通信の要求を受けて、基地局が、アンライセンスドバンドにおける所要リソースの予約を行うとともに、その情報を移動局に通知する技術が知られている（たとえば、下記特許文献１参照。）。
【先行技術文献】
【特許文献】
【０００５】
【特許文献１】米国特許出願公開第２０１２／００７７５１０号明細書
【発明の概要】
【発明が解決しようとする課題】
【０００６】
しかしながら、上述した従来技術では、たとえばアンライセンスドバンドをＳＣＣに用いると、ＰＣＣとＳＣＣで周波数が大きく離れる場合がある。このため、Ｄ２Ｄ通信を行う場合、たとえば、ある端末がその周辺にあるＤ２Ｄ通信可能な端末の検出をＰＣＣ上で行い、その結果ＰＣＣでのＤ２Ｄ通信が可能と判断された端末間でも、周波数の異なるＳＣＣでのＤ２Ｄ通信は困難な場合がある。
【０００７】
１つの側面では、本発明は、ＰＣＣとＳＣＣの周波数が離れていてもＳＣＣでのＤ２Ｄ通信が可能な端末を検出することができる無線通信システム、端末、基地局および処理方法を提供することを目的とする。
【課題を解決するための手段】
【０００８】
上述した課題を解決し、目的を達成するため、本発明の一側面によれば、端末が、第１帯域の第１検出用信号を用いて前記第１帯域において自端末と直接無線通信が可能な他端末を検出し、検出した前記他端末を宛先とする第２帯域の第２検出用信号を送信することによって前記第２帯域において前記他端末と直接無線通信が可能か否かの判断を行い、前記判断の結果に基づいて前記第１帯域および前記第２帯域の少なくともいずれかにおいて前記他端末と直接無線通信を行い、前記端末が接続する基地局が、前記第１検出用信号および前記第２検出用信号の送信を制御する無線通信システム、端末、基地局および処理方法が提案される。
【０００９】
本発明の別の側面によれば、複数の端末が、第１帯域の第１検出用信号を用いて前記第１帯域において自端末と直接無線通信が可能な他端末を互いに検出し、前記複数の端末のうちの前記第１検出用信号によって検出された端末のそれぞれが、第２帯域の第２検出用信号を互いに送信することによって前記第２帯域において互いに直接無線通信が可能か否かの判断を行い、前記判断の結果に基づいて前記第１帯域および前記第２帯域の少なくともいずれかにおいて前記直接無線通信を行い、前記複数の端末が無線接続する基地局が、前記第１検出用信号および前記第２検出用信号の送信を制御する無線通信システム、端末、基地局および処理方法が提案される。
【発明の効果】
【００１０】
本発明の一側面によれば、ＰＣＣとＳＣＣの周波数が離れていてもＳＣＣでのＤ２Ｄ通信が可能な端末を検出することができるという効果を奏する。
【図面の簡単な説明】
【００１１】
【図１Ａ】図１Ａは、実施の形態１にかかる無線通信システムの一例を示す図である。
【図１Ｂ】図１Ｂは、図１Ａに示した無線通信システムにおける信号の流れの一例を示す図である。
【図２】図２は、実施の形態２にかかる無線通信システムの一例を示す図である。
【図３Ａ】図３Ａは、実施の形態２にかかるｅＮＢの一例を示す図である。
【図３Ｂ】図３Ｂは、図３Ａに示したｅＮＢにおける信号の流れの一例を示す図である。
【図３Ｃ】図３Ｃは、ｅＮＢのハードウェア構成の一例を示す図である。
【図３Ｄ】図３Ｄは、図３Ｃに示したハードウェア構成における信号の流れの一例を示す図である。
【図４Ａ】図４Ａは、実施の形態２にかかるＵＥの一例を示す図である。
【図４Ｂ】図４Ｂは、図４Ａに示したＵＥにおける信号の流れの一例を示す図である。
【図５】図５は、実施の形態２にかかるｅＮＢによるＤ２Ｄ通信の開始制御処理の一例を示すフローチャートである。
【図６】図６は、実施の形態２にかかるＵＥによるＤ２Ｄ通信の開始処理の一例を示すフローチャートである。
【図７Ａ】図７Ａは、実施の形態２にかかる無線通信システムの動作例１を示す図である。
【図７Ｂ】図７Ｂは、実施の形態２にかかる無線通信システムの動作例２を示す図である。
【図８】図８は、実施の形態３にかかるｅＮＢによるＤ２Ｄ通信の開始制御処理の一例を示すフローチャートである。
【図９】図９は、実施の形態３にかかるＵＥによるＤ２Ｄ通信の開始処理の一例を示すフローチャートである。
【図１０Ａ】図１０Ａは、実施の形態３にかかる無線通信システムの動作例１を示す図である。
【図１０Ｂ】図１０Ｂは、実施の形態３にかかる無線通信システムの動作例２を示す図である。
【図１１】図１１は、ＳＣＣにおけるディスカバリ信号の送信の一例を示す図である。
【図１２Ａ】図１２Ａは、ディスカバリメッセージの一例を示す図（その１）である。
【図１２Ｂ】図１２Ｂは、ディスカバリメッセージの一例を示す図（その２）である。
【発明を実施するための形態】
【００１２】
以下に図面を参照して、本発明にかかる無線通信システム、端末、基地局および処理方法の実施の形態を詳細に説明する。
【００１３】
（実施の形態１）
図１Ａは、実施の形態１にかかる無線通信システムの一例を示す図である。図１Ｂは、図１Ａに示した無線通信システムにおける信号の流れの一例を示す図である。図１Ａ，図１Ｂに示すように、実施の形態１にかかる無線通信システム１００は、端末１１０，１２０と、基地局１３０と、を備える。基地局１３０は、端末１１０，１２０のうちの少なくとも端末１１０が無線接続する基地局である。
【００１４】
端末１１０，１２０は、たとえば互いに接近している場合に、第１帯域および第２帯域の少なくともいずれかを用いて互いに直接無線通信が可能なデバイスである。第２帯域は、第１帯域と異なる周波数帯域である。
【００１５】
端末１１０は、検出部１１１と、通信部１１２と、を備える。検出部１１１は、第１帯域の第１検出用信号を用いて、第１帯域において自端末と直接無線通信が可能な他端末を検出する。たとえば、端末１１０は、周辺の端末から送信される第１帯域の第１検出用信号を受信することによって、周辺の端末のうちの、自端末と直接無線通信が可能な他端末を検出することができる。この検出は、たとえばパッシブスキャンである。図１Ａに示す例では、検出部１１１は、自端末と直接無線通信が可能な他端末として端末１２０を検出したとする。
【００１６】
検出部１１１は、検出した端末１２０を宛先とする第２帯域の第２検出用信号を送信することによって、第２帯域において自端末が端末１２０と直接無線通信が可能か否かを判断する。たとえば、検出部１１１は、検出した端末１２０を宛先とする第２帯域の第２検出用信号を送信する。そして、検出部１１１は、送信した第２検出用信号に対する端末１２０からの応答信号を受信することにより、第２帯域において自端末が端末１２０と直接無線通信が可能か否かを判断することができる。この処理は、たとえばアクティブスキャンである。検出部１１１は、判断結果を通信部１１２へ出力する。
【００１７】
通信部１１２は、検出部１１１から出力された判断結果に基づいて、第１帯域および第２帯域の少なくともいずれかにおいて端末１２０と直接無線通信を行う。たとえば、第２帯域において自端末が端末１２０と直接無線通信が可能であると検出部１１１によって判断された場合は、通信部１１２は、第２帯域において端末１２０と直接無線通信を行う。
【００１８】
また、第２帯域において自端末が端末１２０と直接無線通信が可能でないと検出部１１１によって判断された場合は、通信部１１２は、第１帯域において端末１２０と直接無線通信を行う。また、第２帯域において自端末が端末１２０と直接無線通信が可能であると検出部１１１によって判断された場合に、通信部１１２は、第１帯域および第２帯域の両方において端末１２０と直接無線通信を行ってもよい。
【００１９】
このように、実施の形態１によれば、端末が、第１帯域での検出の後に、検出した他端末を宛先とする第２検出用信号を送信することによって第２帯域での検出を行うことができる。これにより、第１帯域と第２帯域の周波数が離れていても第２帯域での直接無線通信が可能になる。また、第１帯域と第２帯域の周波数が離れていても、直接無線通信が可能な他端末を効率よく検出することができる。
【００２０】
第１検出用信号および第２検出用信号の送信は、たとえば基地局１３０が備える制御部１３１によって制御される。たとえば、制御部１３１は、端末１２０が第１帯域の第１検出用信号を送信するように端末１２０を制御する。また、制御部１３１は、端末１１０の検出部１１１が第２帯域の第２検出用信号を送信するように端末１１０を制御する。たとえば、制御部１３１は、端末１１０，１２０との間で制御信号を無線送信することによって端末１１０，１２０を制御する。
【００２１】
＜基地局による制御＞
たとえば、基地局１３０は、自局に接続している端末（たとえば端末１２０）に対して第１検出用信号の送信を指示する信号を送信する。そして、第１検出用信号を用いた端末１２０の検出の結果を端末１１０から受信し、受信結果に基づいて、端末１１０に対して第２検出用信号の送信を指示する信号を送信する。これにより、第１検出用信号および第２検出用信号の送信を基地局１３０において制御することができる。
【００２２】
＜第２検出用信号のための無線リソースの割り当て＞
たとえば、基地局１３０は、端末１１０が第２検出用信号を送信するための第２帯域の無線リソースを端末１１０に割り当てる。これに対して、端末１１０は、基地局１３０によって割り当てられた無線リソースによって第２検出用信号を送信する。これにより、第２検出用信号と、基地局１３０に接続する他の端末の送信と、の衝突を抑制することができる。
【００２３】
＜第１帯域と第２帯域について＞
第１帯域は、たとえば、無線通信システム１００（自システム）の専用の帯域とすることができる。また、第２帯域は、無線通信システム１００と他の無線通信システムとの共用の帯域とすることができる。他の無線通信システムは、たとえば、無線通信システム１００と通信方式が異なる無線通信システムである。
【００２４】
（実施の形態１にかかる変形例）
端末１１０，１２０を含む複数の帯域が上述した第１帯域での検出を行った場合に、検出された端末のそれぞれが、第２帯域の第２検出用信号を互いに送信することによって、第２帯域において他端末と直接無線通信が可能か否かを判断するようにしてもよい。
【００２５】
たとえば、少なくとも端末１１０，１２０がともに第１帯域の第１検出用信号を送受信することによって互いを検出したとする。この場合は、検出された端末１１０のそれぞれが、第２帯域の第２検出用信号を互いに送信することによって、第２帯域において互いに直接無線通信が可能か否かを判断する。この処理は、たとえばパッシブスキャンである。
【００２６】
また、端末１１０，１２０の他にも、互いを検出した各端末があった場合は、その各端末も、第２帯域の第２検出用信号を互いに送信することによって、第２帯域において互いに直接無線通信が可能か否かを判断する（パッシブスキャン）。
【００２７】
このように、実施の形態１において、第１帯域での検出の後に、検出された各端末に限定して、第２帯域の第２検出用信号を互いに送信することによって第２帯域での検出を行ってもよい。この場合も、第１帯域と第２帯域の周波数が離れていても第２帯域での直接無線通信が可能になる。また、第１帯域と第２帯域の周波数が離れていても、直接無線通信が可能な他端末を効率よく検出することができる。
【００２８】
＜基地局による制御＞
たとえば、基地局１３０は、自局に接続している端末（たとえば端末１２０）に対して第１検出用信号の送信を指示する信号を送信する。そして、第１検出用信号を用いた端末１２０の検出の結果を端末１１０から受信し、受信結果に基づいて、端末１１０，１２０に対して第２検出用信号の送信を指示する信号を送信する。これにより、第１検出用信号および第２検出用信号の送信を基地局１３０において制御することができる。
【００２９】
＜第２検出用信号のための無線リソースの割り当て＞
たとえば、基地局１３０は、端末１１０が第２検出用信号を送信するための第２帯域の無線リソースを端末１１０に割り当てる。これに対して、端末１１０は、基地局１３０によって割り当てられた無線リソースによって第２検出用信号を送信する。これにより、第２検出用信号と、基地局１３０に接続する他の端末の送信と、の衝突を抑制することができる。
【００３０】
＜第２検出用信号のための無線リソースの予約＞
基地局１３０は、第２検出用信号を送信するための第２帯域の無線リソースを予約する予約信号を第２帯域で送信する。この場合に、端末１１０，１２０のそれぞれは、予約信号によって予約された無線リソースによって第２検出用信号を互いに送信する。これにより、第２検出用信号と、第２帯域の他の信号と、の衝突を抑制することができる。
【００３１】
また、基地局１３０は、第２検出用信号を送信するための第２帯域の無線リソースを予約する予約信号を第１帯域でも送信してもよい。これにより、第２検出用信号と、第１帯域および第２帯域の他の信号と、の衝突を抑制することができる。
【００３２】
＜第１帯域と第２帯域について＞
第１帯域は、たとえば、無線通信システム１００（自システム）の専用の帯域とすることができる。また、第２帯域は、無線通信システム１００と他の無線通信システムとの共用の帯域とすることができる。他の無線通信システムは、たとえば、無線通信システム１００と通信方式が異なる無線通信システムである。
【００３３】
（実施の形態２）
（実施の形態２にかかる無線通信システム）
図２は、実施の形態２にかかる無線通信システムの一例を示す図である。図２に示すように、実施の形態２にかかる無線通信システム２００は、ｅＮＢ２１１〜２１３と、ＵＥ２３１〜２３９と、を含む。
【００３４】
ｅＮＢ２１１〜２１３（ｅｖｏｌｖｅｄ  Ｎｏｄｅ  Ｂ）は、それぞれマクロセル２２１〜２２３を形成するマクロ基地局である。ＵＥ２３１〜２３３（Ｕｓｅｒ  Ｅｑｕｉｐｍｅｎｔ：ユーザ端末）は、マクロセル２２１に在圏しており、ｅＮＢ２１１との間で無線通信が可能である。ＵＥ２３４〜２３６は、マクロセル２２２に在圏しており、ｅＮＢ２１２との間で無線通信が可能である。ＵＥ２３７〜２３９は、マクロセル２２３に在圏しており、ｅＮＢ２１３との間で無線通信が可能である。
【００３５】
図２に示す例では、マクロセル２２１において、ＵＥ２３１はｅＮＢ２１１との間で無線通信を行っている。また、マクロセル２２１において、ＵＥ２３２，２３３は、たとえばｅＮＢ２１１の制御により、互いにＤ２Ｄ通信を行っている。
【００３６】
図１Ａ，図１Ｂに示した無線通信システム１００は、たとえばｅＮＢ２１１およびＵＥ２３１〜２３３により実現することができる。この場合に、たとえば、図１Ａ，図１Ｂに示した端末１１０，１２０は、ＵＥ２３１〜２３９に適用することができる。また、図１Ａ，図１Ｂに示した基地局１３０は、ｅＮＢ２１１〜２１３に適用することができる。
【００３７】
以下、ｅＮＢ２１１およびマクロセル２２１における各ＵＥ（たとえばＵＥ２３２，２３３）に無線通信システム１００を適用する場合について説明する。
【００３８】
（実施の形態２にかかるｅＮＢ）
図３Ａは、実施の形態２にかかるｅＮＢの一例を示す図である。図３Ｂは、図３Ａに示したｅＮＢにおける信号の流れの一例を示す図である。図２に示したｅＮＢ２１１は、たとえば図３Ａ，図３Ｂに示すｅＮＢ３００により実現することができる。ｅＮＢ３００は、アンテナ３０１と、無線処理部３０２と、ＦＦＴ処理部３０３と、復調部３０４と、復号部３０５と、ＭＡＣ・ＲＬＣ処理部３０６と、無線リソース制御部３０７と、ＭＡＣ制御部３０８と、パケット生成部３０９と、を備える。また、ｅＮＢ３００は、ＭＡＣスケジューリング部３１０と、符号化部３１１と、変調部３１２と、多重部３１３と、ＩＦＦＴ処理部３１４と、無線処理部３１５と、アンテナ３１６と、を備える。
【００３９】
アンテナ３０１は、他の無線通信装置から無線送信された信号を受信する。そして、アンテナ３０１は、受信した信号を無線処理部３０２へ出力する。無線処理部３０２は、アンテナ３０１から出力された信号の無線処理を行う。無線処理部３０２の無線処理には、たとえば高周波帯からベースバンド帯への周波数変換が含まれる。無線処理部３０２は、無線処理を行った信号をＦＦＴ処理部３０３へ出力する。
【００４０】
ＦＦＴ処理部３０３は、無線処理部３０２から出力された信号のＦＦＴ（Ｆａｓｔ  Ｆｏｕｒｉｅｒ  Ｔｒａｎｓｆｏｒｍ：高速フーリエ変換）処理を行う。これにより、信号が時間領域から周波数領域に変換される。ＦＦＴ処理部３０３は、ＦＦＴ処理を行った信号を復調部３０４へ出力する。
【００４１】
復調部３０４は、ＦＦＴ処理部３０３から出力された信号を復調する。そして、復調部３０４は、復調により得られた信号を復号部３０５へ出力する。復号部３０５は、復調部３０４から出力された信号を復号する。そして、復号部３０５は、復号により得られたデータをＭＡＣ・ＲＬＣ処理部３０６へ出力する。
【００４２】
ＭＡＣ・ＲＬＣ処理部３０６は、復号部３０５から出力されたデータに基づくＭＡＣ（Ｍｅｄｉａ  Ａｃｃｅｓｓ  Ｃｏｎｔｒｏｌ：メディアアクセス制御）層およびＲＬＣ（Ｒａｄｉｏ  Ｌｉｎｋ  Ｃｏｎｔｒｏｌ：無線リンク制御）層の各処理を行う。ＭＡＣ・ＲＬＣ処理部３０６は、各層の処理によって得られたデータを出力する。ＭＡＣ・ＲＬＣ処理部３０６から出力された信号は、たとえばｅＮＢ３００の上位層の処理部へ入力される。また、ＭＡＣ・ＲＬＣ処理部３０６は、各層の処理によって得られたデータに含まれるフィードバック情報などの制御情報を無線リソース制御部３０７へ出力する。
【００４３】
無線リソース制御部３０７は、ＭＡＣ・ＲＬＣ処理部３０６から出力された制御情報に基づく無線リソース制御を行う。この無線リソース制御はＲＲＣ層の処理である。無線リソース制御部３０７は、無線リソース制御に基づく制御情報をＭＡＣ制御部３０８へ出力する。また、無線リソース制御部３０７は、無線リソース制御に基づくＤ２Ｄ用リソース情報をパケット生成部３０９へ出力する。
【００４４】
ＭＡＣ制御部３０８は、無線リソース制御部３０７から出力された制御情報に基づくＭＡＣ層の制御を行う。そして、ＭＡＣ制御部３０８は、ＭＡＣ層の制御に基づくＵＥへの個別制御情報を多重部３１３へ出力する。個別制御情報は、たとえばＰＤＣＣＨ（Ｐｈｙｓｉｃａｌ  Ｄｏｗｎｌｉｎｋ  Ｃｏｎｔｒｏｌ  Ｃｈａｎｎｅｌ：物理下りリンク制御チャネル）である。また、ＭＡＣ制御部３０８は、ＭＡＣ層の制御に基づく制御情報をＭＡＣスケジューリング部３１０へ出力する。
【００４５】
パケット生成部３０９は、ｅＮＢ３００の上位層から出力されたユーザデータと、ＭＡＣ制御部３０８から出力されたＤ２Ｄ用リソース情報と、を含む各パケットを生成する。そして、パケット生成部３０９は、生成したパケットをＭＡＣスケジューリング部３１０へ出力する。
【００４６】
ＭＡＣスケジューリング部３１０は、ＭＡＣ制御部３０８から出力された制御情報に基づいて、パケット生成部３０９から出力されたパケットのＭＡＣ層のスケジューリングを行う。そして、ＭＡＣスケジューリング部３１０は、スケジューリングの結果に基づいてパケットを符号化部３１１へ出力する。
【００４７】
符号化部３１１は、ＭＡＣスケジューリング部３１０から出力されたパケットを符号化する。そして、符号化部３１１は、符号化したパケットを変調部３１２へ出力する。変調部３１２は、符号化部３１１から出力されたパケットに基づく変調を行う。そして、変調部３１２は、変調により得られた信号を多重部３１３へ出力する。
【００４８】
多重部３１３は、ＭＡＣ制御部３０８から出力された個別制御情報と、変調部３１２から出力された信号と、を多重化する。そして、多重部３１３は、多重化により得られた信号をＩＦＦＴ処理部３１４へ出力する。
【００４９】
ＩＦＦＴ処理部３１４は、多重部３１３から出力された信号のＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）処理を行う。これにより、信号が周波数領域から時間領域に変換される。ＩＦＦＴ処理部３１４は、ＩＦＦＴ処理を行った信号を無線処理部３１５へ出力する。
【００５０】
無線処理部３１５は、ＩＦＦＴ処理部３１４から出力された信号の無線処理を行う。無線処理部３１５の無線処理には、たとえばベースバンド帯から高周波帯への周波数変換が含まれる。無線処理部３１５は、無線処理を行った信号をアンテナ３１６へ出力する。アンテナ３１６は、無線処理部３１５から出力された信号を他の無線通信装置へ無線送信する。
【００５１】
図１Ａ，図１Ｂに示した制御部１３１は、たとえば、図３Ａ，図３Ｂに示した各構成のうちのＭＡＣ制御部３０８を除く構成により実現することができる。または、図１Ａ，図１Ｂに示した制御部１３１は、たとえば、図３Ａ，図３Ｂに示した各構成（ＭＡＣ制御部３０８を含む）によって実現してもよい。
【００５２】
（ｅＮＢのハードウェア構成）
図３Ｃは、ｅＮＢのハードウェア構成の一例を示す図である。図３Ｄは、図３Ｃに示したハードウェア構成における信号の流れの一例を示す図である。ｅＮＢ３００は、たとえば図３Ｃ，図３Ｄに示す無線通信装置３５０により実現することができる。
【００５３】
無線通信装置３５０は、たとえば、送受信アンテナ３５１と、アンプ３５２と、乗算部３５３と、アナログデジタル変換器３５４と、プロセッサ３５５と、メモリ３５６と、を備える。また、無線通信装置３５０は、デジタルアナログ変換器３５７と、乗算部３５８と、アンプ３５９と、発振器３６０と、を備える。また、無線通信装置３５０は、外部の通信装置との間で有線通信を行うインタフェースを備えていてもよい。
【００５４】
送受信アンテナ３５１は、自装置の周辺から無線送信された信号を受信し、受信した信号をアンプ３５２へ出力する。また、送受信アンテナ３５１は、アンプ３５９から出力された信号を自装置の周辺へ無線送信する。
【００５５】
アンプ３５２は、送受信アンテナ３５１から出力された信号を増幅する。そして、アンプ３５２は、増幅した信号を乗算部３５３へ出力する。乗算部３５３は、アンプ３５２から出力された信号を、発振器３６０から出力されたクロック信号と乗算することにより、高周波帯からベースバンド帯へ周波数変換する。そして、乗算部３５３は、周波数変換した信号をアナログデジタル変換器３５４へ出力する。
【００５６】
アナログデジタル変換器３５４（Ａ／Ｄ）は、乗算部３５３から出力された信号をアナログ信号からデジタル信号に変換するＡＤＣ（Ａｎａｌｏｇ／Ｄｉｇｉｔａｌ  Ｃｏｎｖｅｒｔｅｒ：アナログ／デジタル変換器）である。アナログデジタル変換器３５４は、デジタル信号に変換した信号をプロセッサ３５５へ出力する。
【００５７】
プロセッサ３５５は、無線通信装置３５０の全体の制御を司る。プロセッサ３５５は、たとえばＣＰＵ（Ｃｅｎｔｒａｌ  Ｐｒｏｃｅｓｓｉｎｇ  Ｕｎｉｔ：中央処理装置）やＤＳＰ（Ｄｉｇｉｔａｌ  Ｓｉｇｎａｌ  Ｐｒｏｃｅｓｓｏｒ）などにより実現することができる。プロセッサ３５５は、アナログデジタル変換器３５４から出力された信号の受信処理を行う。また、プロセッサ３５５は、自装置が送信する信号を生成し、生成した信号をデジタルアナログ変換器３５７へ出力する送信処理を行う。
【００５８】
メモリ３５６には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、プロセッサ３５５のワークエリアとして使用される。補助メモリは、たとえば磁気ディスクやフラッシュメモリなどの不揮発メモリである。補助メモリには、プロセッサ３５５を動作させる各種のプログラムが記憶されている。補助メモリに記憶されたプログラムは、メインメモリにロードされてプロセッサ３５５によって実行される。また、補助メモリには、たとえば、予め定められた各種の閾値などが記憶される。
【００５９】
デジタルアナログ変換器３５７は、プロセッサ３５５から出力された信号をデジタル信号からアナログ信号に変換するＤＡＣ（Ｄｉｇｉｔａｌ／Ａｎａｌｏｇ  Ｃｏｎｖｅｒｔｅｒ：デジタル／アナログ変換器）である。デジタルアナログ変換器３５７は、アナログ信号に変換した信号を乗算部３５８へ出力する。
【００６０】
乗算部３５８は、デジタルアナログ変換器３５７から出力された信号を、発振器３６０から出力されたクロック信号と乗算することにより、ベースバンド帯から高周波帯へ周波数変換する。そして、乗算部３５８は、周波数変換した信号をアンプ３５９へ出力する。アンプ３５９はデジタルアナログ変換器３５７から出力された信号を増幅する。そして、アンプ３５９は、増幅した信号を送受信アンテナ３５１へ出力する。
【００６１】
発振器３６０は、所定周波数のクロック信号（連続波の交流信号）を発振する。そして、発振器３６０は、発振したクロック信号を乗算部３５３，３５８へ出力する。
【００６２】
図３Ａ，図３Ｂに示したアンテナ３０１，３１６は、たとえば送受信アンテナ３５１により実現することができる。図３Ａ，図３Ｂに示した無線処理部３０２および無線処理部３１５は、たとえばアンプ３５２、乗算部３５３、アナログデジタル変換器３５４、デジタルアナログ変換器３５７、乗算部３５８、アンプ３５９および発振器３６０により実現することができる。図３Ａ，図３Ｂに示したその他の構成は、たとえばプロセッサ３５５およびメモリ３５６により実現することができる。
【００６３】
（実施の形態２にかかるＵＥ）
図４Ａは、実施の形態２にかかるＵＥの一例を示す図である。図４Ｂは、図４Ａに示したＵＥにおける信号の流れの一例を示す図である。図２に示したＵＥ２３１〜２３３のそれぞれは、たとえば図４Ａ，図４Ｂに示すＵＥ４００により実現することができる。
【００６４】
ＵＥ４００は、アンテナ４０１と、無線処理部４０２と、ＦＦＴ処理部４０３と、等化処理部４０４と、ＩＦＦＴ処理部４０５と、復調部４０６と、復号部４０７と、応答信号検出部４０８と、を備える。また、ＵＥ４００は、ディスカバリ信号検出部４０９と、キャリアセンス部４１０と、制御情報処理部４１１と、ディスカバリ信号生成部４１２と、を備える。また、ＵＥ４００は、データ処理部４１３と、多重部４１４と、シンボルマッピング部４１５と、多重部４１６と、ＦＦＴ処理部４１７と、周波数マッピング部４１８と、ＩＦＦＴ処理部４１９と、無線処理部４２０と、を備える。
【００６５】
アンテナ４０１は、他の無線通信装置から無線送信された信号を受信する。そして、アンテナ４０１は、受信した信号を無線処理部４０２へ出力する。また、アンテナ４０１は、無線処理部４２０から出力された信号を他の無線通信装置へ無線送信する。
【００６６】
無線処理部４０２は、アンテナ４０１から出力された信号の無線処理を行う。無線処理部４０２の無線処理には、たとえば高周波帯からベースバンド帯への周波数変換が含まれる。無線処理部４０２は、無線処理を行った信号をＦＦＴ処理部４０３、ディスカバリ信号検出部４０９およびキャリアセンス部４１０へ出力する。
【００６７】
ＦＦＴ処理部４０３は、無線処理部４０２から出力された信号のＦＦＴ処理を行う。これにより、信号が時間領域から周波数領域に変換される。ＦＦＴ処理部４０３は、ＦＦＴ処理を行った信号を等化処理部４０４へ出力する。
【００６８】
等化処理部４０４は、ＦＦＴ処理部４０３から出力された信号の等化処理を行う。そして、等化処理部４０４は、等化処理を行った信号をＩＦＦＴ処理部４０５へ出力する。ＩＦＦＴ処理部４０５は、等化処理部４０４から出力された信号のＩＦＦＴ処理を行う。これにより、信号が周波数領域から時間領域に変換される。ＩＦＦＴ処理部４０５は、ＩＦＦＴ処理を行った信号を復調部４０６へ出力する。
【００６９】
復調部４０６は、ＩＦＦＴ処理部４０５から出力された信号を復調する。そして、復調部４０６は、復調により得られた信号を復号部４０７へ出力する。復号部４０７は、復調部４０６から出力された信号を復号する。そして、復号部４０７は、復号により得られたデータを出力する。復号部４０７から出力されたデータは、たとえばＵＥ４００の上位層の処理部および応答信号検出部４０８へ入力される。復号部４０７から出力されたデータには、たとえばユーザデータが含まれる。
【００７０】
応答信号検出部４０８は、復号部４０７から出力されたデータに含まれる、他の無線通信装置から送信された応答信号を検出する。そして、応答信号検出部４０８は、応答信号の検出結果を示す検出情報を制御情報処理部４１１へ出力する。
【００７１】
ディスカバリ信号検出部４０９は、無線処理部４０２から出力された信号に含まれる、他の無線通信装置から送信されたディスカバリ信号を検出する。ディスカバリ信号には、たとえばアクティブスキャン信号やパッシブスキャン信号などが含まれる。ディスカバリ信号検出部４０９は、ディスカバリ信号の検出結果を示す検出情報を制御情報処理部４１１へ出力する。
【００７２】
キャリアセンス部４１０は、無線処理部４０２から出力された信号に基づくキャリアセンスを行う。そして、キャリアセンス部４１０は、キャリアセンスの結果を示すキャリアセンス結果情報を制御情報処理部４１１へ出力する。
【００７３】
制御情報処理部４１１は、たとえばＭＡＣ層やＲＲＣ（Ｒａｄｉｏ  Ｒｅｓｏｕｒｃｅ  Ｃｏｎｔｒｏｌ：無線リソース制御）層の各制御情報の処理を行う。たとえば、制御情報処理部４１１は、応答信号検出部４０８から出力された検出情報に基づいて、ＵＥ４００から送信したアクティブスキャン信号に対する応答があったか否かを判断する。
【００７４】
また、制御情報処理部４１１は、ディスカバリ信号検出部４０９から出力された検出情報に基づいて、他のＵＥから送信されたアクティブスキャン信号に対する応答信号の送信や、他のＵＥから送信されたパッシブスキャン信号の受信などの制御を行う。また、制御情報処理部４１１は、キャリアセンス部４１０から出力されたキャリアセンス結果情報に基づいて、ＵＥ４００が通信を行う無線リソースの空きを確認する。
【００７５】
また、制御情報処理部４１１は、基地局から受信した各制御信号に基づいて、ディスカバリ信号の送信を指示するディスカバリ信号送信指示をディスカバリ信号生成部４１２へ出力する。また、制御情報処理部４１１は、各処理結果に基づいて、応答信号や無線リソース割り当て情報などの制御情報を多重部４１４へ出力する。
【００７６】
ディスカバリ信号生成部４１２は、制御情報処理部４１１から出力されたディスカバリ信号送信指示に基づいて、ディスカバリ信号を生成する。そして、ディスカバリ信号生成部４１２は、生成したディスカバリ信号を多重部４１６へ出力する。
【００７７】
データ処理部４１３は、各種のデータ処理を行い、データ処理の結果に基づく送信データを多重部４１４へ出力する。多重部４１４は、制御情報処理部４１１から出力された制御情報と、データ処理部４１３から出力された送信データと、を多重化し、多重化により得られた送信信号をシンボルマッピング部４１５へ出力する。
【００７８】
シンボルマッピング部４１５は、多重部４１４から出力された送信信号のシンボルマッピングを行う。そして、シンボルマッピング部４１５は、シンボルマッピングを行った送信信号を多重部４１６へ出力する。
【００７９】
多重部４１６は、ディスカバリ信号生成部４１２から出力されたディスカバリ信号と、シンボルマッピング部４１５から出力された送信信号と、ＵＥ４００からのパイロット信号や同期信号と、を多重化する。そして、多重部４１６は、多重化により得られた信号をＦＦＴ処理部４１７へ出力する。
【００８０】
ＦＦＴ処理部４１７は、多重部４１６から出力された信号のＦＦＴ処理を行う。これにより、信号が時間領域から周波数領域に変換される。ＦＦＴ処理部４１７は、ＦＦＴ処理を行った信号を周波数マッピング部４１８へ出力する。周波数マッピング部４１８は、ＦＦＴ処理部４１７から出力された信号の周波数マッピングを行う。そして、周波数マッピング部４１８は、周波数マッピングを行った信号をＩＦＦＴ処理部４１９へ出力する。
【００８１】
ＩＦＦＴ処理部４１９は、周波数マッピング部４１８から出力された信号のＩＦＦＴ処理を行う。これにより、信号が周波数領域から時間領域に変換される。ＩＦＦＴ処理部４１９は、ＩＦＦＴ処理を行った信号を無線処理部４２０へ出力する。
【００８２】
無線処理部４２０は、ＩＦＦＴ処理部４１９から出力された信号の無線処理を行う。無線処理部４２０の無線処理には、たとえばベースバンド帯から高周波帯への周波数変換が含まれる。無線処理部４２０は、無線処理を行った信号をアンテナ４０１へ出力する。
【００８３】
図４Ａ，図４Ｂに示す例では、無線送信と無線受信に同一のアンテナ４０１を用いる場合について説明したが、無線送信用のアンテナと無線受信用のアンテナをＵＥ４００に設けてもよい。図１Ａ，図１Ｂに示した検出部１１１は、たとえばアンテナ４０１、無線処理部４０２、ＦＦＴ処理部４０３、等化処理部４０４、ＩＦＦＴ処理部４０５、復調部４０６、復号部４０７、応答信号検出部４０８、ディスカバリ信号検出部４０９、キャリアセンス部４１０、制御情報処理部４１１、ディスカバリ信号生成部４１２、多重部４１６、ＦＦＴ処理部４１７、周波数マッピング部４１８、ＩＦＦＴ処理部４１９および無線処理部４２０により実現することができる。
【００８４】
図１Ａ，図１Ｂに示した通信部１１２は、たとえばアンテナ４０１、無線処理部４０２、ＦＦＴ処理部４０３、等化処理部４０４、ＩＦＦＴ処理部４０５、復調部４０６、復号部４０７、応答信号検出部４０８、制御情報処理部４１１、ディスカバリ信号生成部４１２、データ処理部４１３、多重部４１４、シンボルマッピング部４１５、多重部４１６、ＦＦＴ処理部４１７、周波数マッピング部４１８、ＩＦＦＴ処理部４１９および無線処理部４２０により実現することができる。
【００８５】
（ＵＥのハードウェア構成）
ＵＥ４００は、たとえば図３Ｃ，図３Ｄに示した無線通信装置３５０により実現することができる。この場合に、無線通信装置３５０は、外部の通信装置との間で有線通信を行うインタフェースを備えていなくてもよい。
【００８６】
図４Ａ，図４Ｂに示したアンテナ４０１は、たとえば送受信アンテナ３５１により実現することができる。図４Ａ，図４Ｂに示した無線処理部４０２および無線処理部４２０は、たとえばアンプ３５２、乗算部３５３、アナログデジタル変換器３５４、デジタルアナログ変換器３５７、乗算部３５８、アンプ３５９および発振器３６０により実現することができる。図４Ａ，図４Ｂに示したその他の構成は、たとえばプロセッサ３５５およびメモリ３５６により実現することができる。
【００８７】
（実施の形態２にかかるｅＮＢによるＤ２Ｄ通信の開始制御処理）
図５は、実施の形態２にかかるｅＮＢによるＤ２Ｄ通信の開始制御処理の一例を示すフローチャートである。実施の形態２にかかるｅＮＢ３００は、Ｄ２Ｄ通信の開始制御処理として、たとえば図５に示す各ステップを実行する。
【００８８】
まず、ｅＮＢ３００は、ＰＣＣディスカバリ開始指示を各ＵＥに対して送信する（ステップＳ５０１）。ＰＣＣディスカバリ開始指示は、ＰＣＣにおけるディスカバリの開始を指示する信号である。ステップＳ５０１の送信は、たとえばｅＮＢ３００に接続しているＵＥからの要求などの各種のタイミングで行うことができる。
【００８９】
つぎに、ｅＮＢ３００は、ステップＳ５０１によって送信したＰＣＣディスカバリ開始指示に対する各ディスカバリ結果の報告を各ＵＥから受信したか否かを判断し（ステップＳ５０２）、報告を受信するまで待つ（ステップＳ５０２：Ｎｏのループ）。各ディスカバリ結果の報告には、たとえば各ＵＥが決定したＤ２Ｄ通信相手を示す情報が含まれる。
【００９０】
ステップＳ５０２において、報告を受信すると（ステップＳ５０２：Ｙｅｓ）、ｅＮＢ３００は、ステップＳ５０３へ移行する。すなわち、ｅＮＢ３００は、ステップＳ５０２において受信した報告が示すＤ２Ｄ通信相手に基づいて、Ｄ２Ｄ通信を行う各ＵＥに対して、アクティブスキャン指示を個別に送信する（ステップＳ５０３）。アクティブスキャン指示は、ＳＣＣにおけるアクティブスキャンを指示する信号である。
【００９１】
つぎに、ｅＮＢ３００は、ステップＳ５０３によって送信したアクティブスキャン指示に対するアクティブスキャン結果の報告を受信したか否かを判断し（ステップＳ５０４）、報告を受信するまで待つ（ステップＳ５０４：Ｎｏのループ）。アクティブスキャン結果の報告には、たとえば、Ｄ２Ｄ通信を行う各ＵＥが、ＳＣＣにおいてＤ２Ｄ通信が可能であるか否かを示す情報が含まれる。
【００９２】
ステップＳ５０４において、報告を受信すると（ステップＳ５０４：Ｙｅｓ）、ｅＮＢ３００は、ステップＳ５０５へ移行する。すなわち、ｅＮＢ３００は、ステップＳ５０４において受信したアクティブスキャン結果の報告に基づいて、Ｄ２Ｄ通信を行う各ＵＥについて、ＳＣＣにおけるＤ２Ｄ通信が可能か否かを判断する（ステップＳ５０５）。
【００９３】
ステップＳ５０５において、ＳＣＣにおけるＤ２Ｄ通信が可能である場合（ステップＳ５０５：Ｙｅｓ）は、ｅＮＢ３００は、ＳＣＣにおけるＤ２Ｄ通信用の無線リソースを決定し（ステップＳ５０６）、ステップＳ５０８へ移行する。無線リソースは、たとえば周波数リソースや時間リソースなどである。ＳＣＣにおけるＤ２Ｄ通信が可能でない場合（ステップＳ５０５：Ｎｏ）は、ｅＮＢ３００は、ＰＣＣにおけるＤ２Ｄ通信用の無線リソースを決定する（ステップＳ５０７）。
【００９４】
つぎに、ｅＮＢ３００は、ステップＳ５０６，Ｓ５０７のいずれかで決定した無線リソースを示すＤ２Ｄ用リソース情報を各ＵＥへ送信し（ステップＳ５０８）、一連のＤ２Ｄ通信の開始制御処理を終了する。これにより、各ＵＥが、ステップＳ５０８によって送信されたＤ２Ｄ用リソース情報が示す無線リソース（ＰＣＣまたはＳＣＣ）を用いてＤ２Ｄ通信を開始する。
【００９５】
（実施の形態２にかかるＵＥによるＤ２Ｄ通信の開始処理）
図６は、実施の形態２にかかるＵＥによるＤ２Ｄ通信の開始処理の一例を示すフローチャートである。実施の形態２にかかるＵＥ４００は、Ｄ２Ｄ通信の開始処理として、たとえば図６に示す各ステップを実行する。
【００９６】
まず、ＵＥ４００は、ｅＮＢ３００からＰＣＣディスカバリ開始指示を受信したか否かを判断し（ステップＳ６０１）、ＰＣＣディスカバリ開始指示を受信するまで待つ（ステップＳ６０１：Ｎｏのループ）。ＰＣＣディスカバリ開始指示は、ＰＣＣにおける各ディスカバリの開始を指示する信号である。ＰＣＣディスカバリ開始指示を受信すると（ステップＳ６０１：Ｙｅｓ）、ＵＥ４００は、ＰＣＣにおけるデバイス・サービスディスカバリを行う（ステップＳ６０２）。
【００９７】
デバイス・サービスディスカバリは、たとえば、自装置の周辺における他のＵＥを検出するデバイスディスカバリ（近接度検知機能）と、検出したＵＥが提供するサービスやアプリケーションを検出するサービスディスカバリと、を含む。デバイス・サービスディスカバリは、パッシブスキャン信号を送受信することにより行われる。このデバイス・サービスディスカバリには、たとえばＬＴＥ（Ｌｏｎｇ  Ｔｅｒｍ  Ｅｖｏｌｕｔｉｏｎ）のリリース１２において規定されるデバイス・サービスディスカバリを適用することができる。
【００９８】
つぎに、ＵＥ４００は、ステップＳ６０２の各ディスカバリの結果に基づいてＤ２Ｄ通信相手を決定する（ステップＳ６０３）。たとえば、ＵＥ４００は、ＵＥ４００の周辺に位置し、ＵＥ４００との間で所定のＤ２Ｄ通信サービスが可能なＵＥの中からＤ２Ｄ通信相手を決定する。
【００９９】
つぎに、ＵＥ４００は、ステップＳ６０２の各ディスカバリ結果の報告をｅＮＢ３００へ送信する（ステップＳ６０４）。ステップＳ６０４によって送信される報告は、たとえば、ステップＳ６０２によって検出した端末の情報（端末の識別番号、ディスカバリ信号の受信レベル、サービス情報、等）や、ステップＳ６０３で決定したＤ２Ｄ通信相手を示す情報を含む信号である。
【０１００】
つぎに、ＵＥ４００は、アクティブスキャン指示を受信したか否かを判断し（ステップＳ６０５）、アクティブスキャン指示を受信するまで待つ（ステップＳ６０５：Ｎｏのループ）。アクティブスキャン指示は、アクティブスキャンを指示する信号である。アクティブスキャン指示を受信すると（ステップＳ６０５：Ｙｅｓ）、ＵＥ４００は、ＳＣＣのアクティブスキャン信号を送受信することによってＳＣＣにおけるアクティブスキャンを行う（ステップＳ６０６）。
【０１０１】
つぎに、ＵＥ４００は、ステップＳ６０６のアクティブスキャン結果の報告をｅＮＢ３００へ送信する（ステップＳ６０７）。ステップＳ６０７によって送信される報告は、たとえば、ステップＳ６０３によって決定されたＤ２Ｄ通信相手との間でＳＣＣにおけるＤ２Ｄ通信が可能であるか否かを示す信号である。
【０１０２】
つぎに、ＵＥ４００は、ｅＮＢ３００からＤ２Ｄ用リソース情報を受信したか否かを判断し（ステップＳ６０８）、Ｄ２Ｄ用リソース情報を受信するまで待つ（ステップＳ６０８：Ｎｏのループ）。Ｄ２Ｄ用リソース情報は、Ｄ２Ｄ通信用の無線リソースを示す情報である。Ｄ２Ｄ用リソース情報を受信すると（ステップＳ６０８：Ｙｅｓ）、ＵＥ４００は、受信したＤ２Ｄ用リソース情報に基づくＤ２Ｄ通信を開始し（ステップＳ６０９）、一連のＤ２Ｄ通信の開始処理を終了する。
【０１０３】
（実施の形態２にかかる無線通信システムの動作例１）
図７Ａは、実施の形態２にかかる無線通信システムの動作例１を示す図である。実施の形態２にかかる無線通信システム２００は、たとえば図７Ａに示す各ステップのように動作する。まず、ｅＮＢ２１１が、ＰＣＣにおける各ディスカバリの開始を指示するＰＣＣディスカバリ開始指示を送信する（ステップＳ７０１）。図７Ａに示す例では、ステップＳ７０１によって送信されたＰＣＣディスカバリ開始指示がＵＥ２３２，２３３によって受信されたとする。
【０１０４】
つぎに、ＵＥ２３２が、ステップＳ７０１のＰＣＣディスカバリ開始指示に基づいて、ＰＣＣにおけるデバイス・サービスディスカバリを実行する（ステップＳ７０２）。また、ＵＥ２３３が、ステップＳ７０１のＰＣＣディスカバリ開始指示に基づいて、ＰＣＣにおけるデバイス・サービスディスカバリを実行する（ステップＳ７０３）。
【０１０５】
つぎに、ＵＥ２３２が、ステップＳ７０２による各ディスカバリの結果に基づいて、Ｄ２Ｄ通信相手を決定する（ステップＳ７０４）。ここでは、ＵＥ２３２は、ＵＥ２３２の周辺に位置し、ＵＥ２３２との間でＤ２Ｄ通信サービスが可能なＵＥとしてＵＥ２３３を検出し、ＵＥ２３３をＤ２Ｄ通信相手に決定したとする。
【０１０６】
また、ＵＥ２３３が、ステップＳ７０３による各ディスカバリの結果に基づいて、Ｄ２Ｄ通信相手を決定する（ステップＳ７０５）。ここでは、ＵＥ２３３は、ＵＥ２３３の周辺に位置し、ＵＥ２３３との間でＤ２Ｄ通信サービスが可能なＵＥとしてＵＥ２３２を検出し、ＵＥ２３２をＤ２Ｄ通信相手に決定したとする。
【０１０７】
つぎに、ＵＥ２３２が、ステップＳ７０２によるデバイス・サービスディスカバリ結果をｅＮＢ２１１へ報告する（ステップＳ７０６）。たとえば、ＵＥ２３２は、ＰＣＣにおけるＤ２Ｄ通信が可能である旨の報告（通信可）であって、ステップＳ７０４によって決定したＤ２Ｄ通信相手（ＵＥ２３３）を示す情報を含む報告をｅＮＢ２１１へ送信する。
【０１０８】
また、ＵＥ２３３が、ステップＳ７０３によるデバイス・サービスディスカバリ結果をｅＮＢ２１１へ報告する（ステップＳ７０７）。たとえば、ＵＥ２３３は、ＰＣＣにおけるＤ２Ｄ通信が可能である旨の報告（通信可）であって、ステップＳ７０５によって決定したＤ２Ｄ通信相手（ＵＥ２３２）を示す情報を含む報告をｅＮＢ２１１へ送信する。
【０１０９】
つぎに、ｅＮＢ２１１が、ステップＳ７０６，Ｓ７０７によるＵＥ２３２，２３３からの報告に基づいて、アクティブスキャンを指示する個別のアクティブスキャン指示をＵＥ２３２，２３３のそれぞれへ送信する（ステップＳ７０８）。このとき、ｅＮＢ２１１は、ＵＥ２３２，２３３がアクティブスキャン信号を送信するための無線リソースをＵＥ２３２，２３３に割り当て、割り当てた無線リソースをアクティブスキャン指示によって通知してもよい。
【０１１０】
つぎに、ＵＥ２３２，２３３が、互いにＳＣＣにおけるアクティブスキャンを実行する（ステップＳ７０９）。たとえば、ＵＥ２３２，２３３は、互いにアクティブスキャン信号を送受信することによってアクティブスキャンを行う。ただし、ステップＳ７０２，Ｓ７０３におけるサービスディスカバリによってＵＥ２３２，２３３がそれぞれ所定のＤ２Ｄ通信サービスに対応していることは確認済みであるため、ステップＳ７０９では、ＳＣＣにおいて互いに通信が可能かどうかを確認すればよい。このため、ステップＳ７０９では、デバイスディスカバリを行えばよく、サービスディスカバリは行わなくてもよい。
【０１１１】
つぎに、ＵＥ２３２が、ステップＳ７０９におけるアクティブスキャン結果をｅＮＢ２１１へ報告する（ステップＳ７１０）。図７Ａに示す例では、ＵＥ２３２は、ＳＣＣにおけるＤ２Ｄ通信が可能である旨の報告（通信可）をｅＮＢ２１１へ送信する。また、ＵＥ２３３が、ステップＳ７０９におけるアクティブスキャン結果をｅＮＢ２１１へ報告する（ステップＳ７１１）。図７Ａに示す例では、ＵＥ２３３は、ＳＣＣにおけるＤ２Ｄ通信が可能である旨の報告（通信可）をｅＮＢ２１１へ送信する。
【０１１２】
つぎに、ｅＮＢ２１１が、ステップＳ７１０，Ｓ７１１におけるＵＥ２３２，２３３からの報告に基づいて、ＳＣＣにおけるＵＥ２３２，２３３によるＤ２Ｄ通信用の無線リソースを決定する（ステップＳ７１２）。
【０１１３】
つぎに、ｅＮＢ２１１が、ステップＳ７１２によって決定したＳＣＣの無線リソースを示すＤ２Ｄ用リソース情報をＵＥ２３２，２３３のそれぞれへ送信する（ステップＳ７１３）。つぎに、ＵＥ２３２，２３３が、ステップＳ７１３によって送信されたＤ２Ｄ用リソース情報が示すＳＣＣにおける無線リソースを用いて、互いにＳＣＣにおけるＤ２Ｄ通信を開始する（ステップＳ７１４）。
【０１１４】
（実施の形態２にかかる無線通信システムの動作例２）
図７Ｂは、実施の形態２にかかる無線通信システムの動作例２を示す図である。実施の形態２にかかる無線通信システム２００は、たとえば図７Ｂに示す各ステップのように動作する場合もある。図７Ｂに示すステップＳ７２１〜Ｓ７３１は、図７Ａに示したステップＳ７０１〜Ｓ７１１と同様である。ただし、図７Ｂに示す例では、ステップＳ７２９におけるアクティブスキャンにおいて、ＵＥ２３２，２３３は、互いにＳＣＣにおけるＤ２Ｄ通信は不可であると判断したとする。
【０１１５】
この場合は、ステップＳ７３０において、ＵＥ２３２は、ＳＣＣにおけるＤ２Ｄ通信が不可である旨の報告（通信不可）をｅＮＢ２１１へ送信する。また、ステップＳ７３１において、ＵＥ２３３は、ＳＣＣにおけるＤ２Ｄ通信が不可である旨の報告（通信不可）をｅＮＢ２１１へ送信する。
【０１１６】
つぎに、ｅＮＢ２１１が、ステップＳ７３０，Ｓ７３１におけるＵＥ２３２，２３３からの報告に基づいて、ＰＣＣにおけるＵＥ２３２，２３３によるＤ２Ｄ通信用の無線リソースを決定する（ステップＳ７３２）。
【０１１７】
つぎに、ｅＮＢ２１１が、ステップＳ７３２によって決定したＰＣＣの通信キャリアを示すＤ２Ｄ用リソース情報をＵＥ２３２，２３３のそれぞれへ送信する（ステップＳ７３３）。つぎに、ＵＥ２３２，２３３が、ステップＳ７３３によって送信されたＤ２Ｄ用リソース情報が示すＰＣＣにおける無線リソースを用いて、互いにＰＣＣにおけるＤ２Ｄ通信を開始する（ステップＳ７３４）。
【０１１８】
このように、実施の形態２によれば、ＰＣＣでのディスカバリの後にＳＣＣでのアクティブスキャン（Ｐｒｏｂｉｎｇ）が行われる。たとえば、ＰＣＣでは、比較的大きなサイズのディスカバリ信号を用いるデバイス・サービスディスカバリ（パッシブスキャン）が行われる。また、ＳＣＣでは、アクティブスキャン（特定相手先との間の疎通確認）が行われる。
【０１１９】
アクティブスキャンにおいては、サービスディスカバリが不要であるため、ディスカバリ信号のサイズを比較的小さくすることができる。したがって、ＳＣＣではアクティブスキャンを行うようにすることで、ＳＣＣにおけるディスカバリのためのトラフィックを低減し、ＳＣＣの輻輳低減を図ることができる。このため、たとえばＳＣＣが他の通信システムとの共用チャネルとなるアンライセンスドバンドである場合であっても、他の通信システムへの影響を抑えつつ効率よく通信を行うことができる。
【０１２０】
また、ＳＣＣにおけるアクティブスキャンの結果、ＳＣＣでのＤ２Ｄ通信が不可であった場合であっても、ＰＣＣでのＤ２Ｄ通信が可能であることは確認済みであるため、たとえば再度のディスカバリを行わなくてもＰＣＣでのＤ２Ｄ通信を行うことができる。
【０１２１】
（実施の形態３）
実施の形態３について、実施の形態２と異なる部分について説明する。
【０１２２】
（実施の形態３にかかるｅＮＢによるＤ２Ｄ通信の開始制御処理）
図８は、実施の形態３にかかるｅＮＢによるＤ２Ｄ通信の開始制御処理の一例を示すフローチャートである。実施の形態３にかかるｅＮＢ３００は、Ｄ２Ｄ通信の開始制御処理として、たとえば図８に示す各ステップを実行する。図８に示すステップＳ８０１，Ｓ８０２は、図５に示したステップＳ５０１，Ｓ５０２と同様である。
【０１２３】
ステップＳ８０２のつぎに、ｅＮＢ３００は、ステップＳ８０２によって受信した各ディスカバリ結果の報告が示すＤ２Ｄ通信相手に基づいて、ＵＥサブセットの決定と、ディスカバリ用の無線リソースの割り当てと、を行う（ステップＳ８０３）。
【０１２４】
ＵＥサブセットは、Ｄ２Ｄ通信が可能であることをｅＮＢ３００へ報告したＵＥの集合である。つまり、ＵＥサブセットは、ステップＳ８０１のＰＣＣディスカバリ開始指示に基づいてＤ２Ｄリンクのペアリングが完了したＵＥの組の和集合である。ディスカバリ用の無線リソースは、ＳＣＣにおけるデバイスディスカバリのための無線リソースである。
【０１２５】
つぎに、ｅＮＢ３００は、ＰＣＣおよびＳＣＣでＲＴＳ（Ｒｅｑｕｅｓｔ  Ｔｏ  Ｓｅｎｄ：送信要求）信号を送信する（ステップＳ８０４）。ステップＳ８０４によって送信されるＲＴＳ信号は、ステップＳ８０３によってディスカバリ用の無線リソースとして割り当てられた無線リソースの予約を要求するＲＴＳ信号である。
【０１２６】
つぎに、ｅＮＢ３００は、ステップＳ８０３によって決定したＵＥサブセットの各ＵＥに対するＳＣＣディスカバリ開始指示を送信する（ステップＳ８０５）。ＳＣＣディスカバリ開始指示は、ＳＣＣにおけるパッシブスキャンによるデバイスディスカバリを指示する信号である。
【０１２７】
つぎに、ｅＮＢ３００は、ステップＳ８０５によって送信したＳＣＣディスカバリ開始指示に対するデバイスディスカバリ結果の報告を受信したか否かを判断し（ステップＳ８０６）、デバイスディスカバリ結果の報告を受信するまで待つ（ステップＳ８０６：Ｎｏのループ）。デバイスディスカバリ結果の報告には、たとえば、各ＵＥが決定したＤ２Ｄ通信相手を示す情報が含まれる。デバイスディスカバリ結果の報告を受信すると（ステップＳ８０６：Ｙｅｓ）、ステップＳ８０７へ移行する。
【０１２８】
図８に示すステップＳ８０７〜Ｓ８１０は、図５に示したステップＳ５０５〜Ｓ５０８と同様である。ただし、ｅＮＢ３００は、ＵＥサブセットのうちのＳＣＣでのＤ２Ｄ通信が可能と報告したＵＥの組ごとに、ＳＣＣにおけるＤ２Ｄ通信用の無線リソースを割り当てる。また、ｅＮＢ３００は、ＵＥサブセットのうちのＳＣＣでのＤ２Ｄ通信が不可と報告したＵＥの組ごとに、ＰＣＣにおけるＤ２Ｄ通信用の無線リソースを割り当てる。これにより、各ＵＥが、ｅＮＢ３００によって割り当てられたＤ２Ｄ通信用の無線リソース（ＰＣＣ上またはＳＣＣ上）を用いてＤ２Ｄ通信を開始する。
【０１２９】
（実施の形態３にかかるＵＥによるＤ２Ｄ通信の開始処理）
図９は、実施の形態３にかかるＵＥによるＤ２Ｄ通信の開始処理の一例を示すフローチャートである。実施の形態３にかかるＵＥ４００は、Ｄ２Ｄ通信の開始処理として、たとえば図９に示す各ステップを実行する。図９に示すステップＳ９０１〜Ｓ９０４は、図６に示したステップＳ６０１〜Ｓ６０４と同様である。
【０１３０】
ステップＳ９０４のつぎに、ＵＥ４００は、ＳＣＣディスカバリ開始指示を受信したか否かを判断し（ステップＳ９０５）、ＳＣＣディスカバリ開始指示を受信するまで待つ（ステップＳ９０５：Ｎｏのループ）。ＳＣＣディスカバリ開始指示を受信すると（ステップＳ９０５：Ｙｅｓ）、ＵＥ４００は、ＳＣＣにおけるデバイスディスカバリを行う（ステップＳ９０６）。ステップＳ９０６によるデバイスディスカバリは、たとえばパッシブスキャン信号を送受信するパッシブスキャンによって行うことができる。
【０１３１】
つぎに、ステップＳ９０６のデバイスディスカバリ結果の報告をｅＮＢ３００へ送信する（ステップＳ９０７）。ステップＳ９０７によって送信される各ディスカバリ結果の報告には、たとえばステップＳ９０３によって決定されたＤ２Ｄ通信相手との間でＳＣＣにおけるＤ２Ｄ通信が可能か否かを示す情報が含まれる。ステップＳ９０８，Ｓ９０９は、図６に示したステップＳ６０８，Ｓ６０９と同様である。
【０１３２】
（実施の形態３にかかる無線通信システムの動作例１）
図１０Ａは、実施の形態３にかかる無線通信システムの動作例１を示す図である。実施の形態３にかかる無線通信システム２００は、たとえば図１０Ａに示す各ステップのように動作する。図１０Ａに示すステップＳ１００１〜Ｓ１００７は、図７Ａに示したステップＳ７０１〜Ｓ７０７と同様である。
【０１３３】
ただし、図１０Ａに示す例では、ＵＥ２３２，２３３だけでなく、複数組のＵＥが、デバイス・サービスディスカバリの結果、互いにＤ２Ｄ通信であることをｅＮＢ２１１へ報告したとする。これに対して、ｅＮＢ２１１は、各ＵＥからの報告に基づいて、ＵＥサブセットの決定と、ディスカバリ用の無線リソースの割り当てと、を行う（ステップＳ１００８）。
【０１３４】
つぎに、ｅＮＢ３００は、ＰＣＣおよびＳＣＣで、ステップＳ１００８によってディスカバリ用の無線リソースとして割り当てた無線リソースの予約を要求するＲＴＳ信号を送信する（ステップＳ１００９）。
【０１３５】
つぎに、ｅＮＢ３００は、ステップＳ１００８によって決定したＵＥサブセットに含まれる各ＵＥに対するＳＣＣディスカバリ開始指示を送信する（ステップＳ１０１０）。
【０１３６】
つぎに、ＵＥサブセットに含まれる各ＵＥ（ＵＥ２３２，２３３を含む）が、互いにＳＣＣにおけるデバイスディスカバリを実行する（ステップＳ１０１１）。ステップＳ１０１１においては、たとえば、各ＵＥが、互いにパッシブスキャン信号を送受信することによってパッシブスキャンを行う。
【０１３７】
ただし、ステップＳ１００２，Ｓ１００３におけるサービスディスカバリによって各ＵＥが所定のＤ２Ｄ通信サービスに対応していることは確認済みであるため、ステップＳ１０１１では、ＳＣＣにおいて互いに通信が可能かどうかを確認すればよい。このため、ステップＳ１０１１では、デバイスディスカバリを行えばよく、サービスディスカバリは行わなくてもよい。
【０１３８】
つぎに、ＵＥ２３２が、ステップＳ１０１１におけるデバイスディスカバリの結果をｅＮＢ２１１へ報告する（ステップＳ１０１２）。図１０Ａに示す例では、ＵＥ２３２は、ＳＣＣにおけるＤ２Ｄ通信が可能である旨の報告（通信可）であって、ステップＳ１００４によって決定したＤ２Ｄ通信相手（ＵＥ２３３）を示す情報を含む報告をｅＮＢ２１１へ送信する。
【０１３９】
また、ＵＥ２３３が、ステップＳ１０１１におけるアクティブスキャンの結果をｅＮＢ２１１へ報告する（ステップＳ１０１３）。図１０Ａに示す例では、ＵＥ２３３は、ＳＣＣにおけるＤ２Ｄ通信が可能である旨の報告（通信可）であって、ステップＳ１００５によって決定したＤ２Ｄ通信相手（ＵＥ２３２）を示す情報を含む報告をｅＮＢ２１１へ送信する。
【０１４０】
これにより、ｅＮＢ２１１は、ＵＥ２３２，２３３がＳＣＣにおいてＤ２Ｄ通信可能であると判断することができる。また、ＵＥサブセットに含まれる各ＵＥのうちのＵＥ２３２，２３３と異なるＵＥも、ＵＥ２３２，２３３と同様にｅＮＢ２１１へ報告を行う。図１０Ａに示すステップＳ１０１４〜Ｓ１０１６は、図７Ａに示したステップＳ７１２〜Ｓ７１４と同様である。
【０１４１】
ただし、ｅＮＢ２１１は、ＵＥサブセットに含まれる各ＵＥのうちの、ＵＥ２３２，２３３と異なる、ＳＣＣにおけるＤ２Ｄ通信が可能であることを報告した各ＵＥについても同様に、ＳＣＣにおけるＤ２Ｄ通信用の無線リソースを割り当てる。これにより、ＵＥサブセットに含まれる各ＵＥが、ＳＣＣにおけるＤ２Ｄ通信が可能である場合に、ＳＣＣの無線リソースを割り当てられ、ＳＣＣにおけるＤ２Ｄ通信を開始することができる。
【０１４２】
（実施の形態３にかかる無線通信システムの動作例２）
図１０Ｂは、実施の形態３にかかる無線通信システムの動作例２を示す図である。図１０Ｂに示すステップＳ１０２１〜Ｓ１０３３は、図１０Ａに示したステップＳ１００１〜Ｓ１０１３と同様である。ただし、図１０Ｂに示す例では、ステップＳ１０３１におけるデバイスディスカバリにおいて、ＵＥ２３２，２３３は、互いにＳＣＣにおけるＤ２Ｄ通信は不可であると判断したとする。
【０１４３】
この場合は、ステップＳ１０３２において、ＵＥ２３２は、ＳＣＣにおけるＤ２Ｄ通信が不可である旨の報告（通信不可）をｅＮＢ２１１へ送信する。また、ステップＳ１０３３において、ＵＥ２３３は、ＳＣＣにおけるＤ２Ｄ通信が不可である旨の報告（通信不可）をｅＮＢ２１１へ送信する。
【０１４４】
つぎに、ｅＮＢ２１１が、ステップＳ１０３２，Ｓ１０３３におけるＵＥ２３２，２３３からの報告に基づいて、ＰＣＣにおけるＵＥ２３２，２３３によるＤ２Ｄ通信用の無線リソースを決定する（ステップＳ１０３４）。
【０１４５】
つぎに、ｅＮＢ２１１が、ステップＳ１０３４によって決定したＰＣＣの無線リソースを示すＤ２Ｄ用リソース情報をＵＥ２３２，２３３のそれぞれへ送信する（ステップＳ１０３５）。つぎに、ＵＥ２３２，２３３が、ステップＳ１０３５によって送信されたＤ２Ｄ用リソース情報が示すＰＣＣにおける無線リソースを用いて、互いにＰＣＣにおけるＤ２Ｄ通信を開始する（ステップＳ１０３６）。
【０１４６】
（ＳＣＣにおけるディスカバリ信号の送信）
図１１は、ＳＣＣにおけるディスカバリ信号の送信の一例を示す図である。図１１において、横軸は時間リソース（ｔ）を示し、縦軸は周波数リソース（ｆ）を示している。縦軸のＰＣＣは、ライセンスド（Ｌｉｃｅｎｓｅｄ）バンドであるＰＣＣの帯域を示している。縦軸のＳＣＣは、アンライセンスド（Ｕｎｌｉｃｅｎｓｅｄ）バンドであるＳＣＣの帯域を示している。
【０１４７】
図１１に示す例では、たとえば図１０ＡのステップＳ１００８でｅＮＢ２１１が決定したＵＥサブセットには、ＵＥ＃１〜＃８の８つのＵＥが含まれているとする。一例としては、ＵＥ＃１とＵＥ＃５が互いにＰＣＣでＤ２Ｄ通信が可能と判断した組であるとする。同様に、ＵＥ＃２とＵＥ＃６、ＵＥ＃３とＵＥ＃７、ＵＥ＃４とＵＥ＃８がそれぞれ互いにＤ２Ｄ通信相手であるとする。
【０１４８】
リソース予約期間１１０１は、たとえば図１０ＡのステップＳ１００８においてｅＮＢ２１１が割り当てたディスカバリ用の無線リソースの期間である。
【０１４９】
たとえば図１０ＡのステップＳ１００９において、ｅＮＢ２１１は、ＰＣＣのＲＴＳ信号１１０２を送信する。また、ｅＮＢ２１１は、キャリアセンス１１０３の後に、ＳＣＣのＲＴＳ信号１１０４を送信する。ＲＴＳ信号１１０２，１１０４のそれぞれは、リソース予約期間１１０１におけるＳＣＣの予約を要求するＲＴＳ信号である。
【０１５０】
ＵＥサブセット以外のＵＥは、たとえばＳＣＣのＲＴＳ信号１１０４を受信すると、ＲＴＳ信号１１０４が示すリソース予約期間１１０１におけるＳＣＣでの無線送信を行わないようにする。これにより、ＲＴＳ信号１１０４において、ＵＥサブセットの各ＵＥがチャネルを占有することができる。
【０１５１】
ＵＥ＃１〜＃８は、たとえば図１０ＡのステップＳ１０１１において、ＲＴＳ信号１１０２，１１０４が示すディスカバリ用のＳＣＣの無線リソースによって、ＳＣＣにおけるデバイスディスカバリ１１０５を実施する。このとき、ＵＥ＃１〜＃８は、リソース予約期間１１０１におけるＳＣＣのうちの任意の無線リソースによってデバイスディスカバリ１１０５を実施することができる。
【０１５２】
たとえば、ＰＣＣで互いにＤ２Ｄ通信可能と判断したＵＥ＃１，＃５（たとえばＵＥ２３２，２３３）は、リソース予約期間１１０１のＳＣＣにおいて異なる時刻でパッシブスキャン信号を送受信することにより、ＳＣＣでも互いにＤ２Ｄ通信可能であるか否かを判断する。ＵＥは信号を送信している期間では、同じキャリア周波数の信号を通常は受信することができない。したがって、ＵＥ＃１，＃５は、ＵＥ＃２〜＃４，＃６〜＃８が送信するパッシブスキャン信号は受信できない。
【０１５３】
ＵＥ＃１，＃５は、ＳＣＣでも互いにＤ２Ｄ通信可能であると判断すると、たとえば図１０ＡのステップＳ１０１２，Ｓ１０１３においてその旨を報告する。これにより、ｅＮＢ２１１によってＵＥ＃１，＃５にＤ２Ｄ用のＳＣＣの無線リソースが割り当てられ、ＵＥ＃１，＃５がＳＣＣにおけるＤ２Ｄ通信を開始することができる。
【０１５４】
また、ＵＥ＃１，＃５は、ＳＣＣでは互いにＤ２Ｄ通信不可であると判断すると、たとえば図１０ＢのステップＳ１０３２，Ｓ１０３３においてその旨を報告する。これにより、ｅＮＢ２１１によってＵＥ＃１，＃５にＤ２Ｄ用のＰＣＣの無線リソースが割り当てられ、ＵＥ＃１，＃５がＰＣＣにおけるＤ２Ｄ通信を開始することができる。
【０１５５】
たとえばＳＣＣが無線ＬＡＮ（Ｌｏｃａｌ  Ａｒｅａ  Ｎｅｔｗｏｒｋ：構内通信網）と同じアンライセンスドバンドである場合は、ＲＴＳ信号１１０４を無線ＬＡＮで規定されているＲＴＳ信号としてもよい。これにより、無線ＬＡＮからのデバイスディスカバリ１１０５への干渉を抑制することができる。
【０１５６】
この場合に、たとえばＬＴＥ端末はＲＴＳ信号１１０４を認識することができない。これに対しては、ＬＴＥ端末が認識可能なＰＣＣのＲＴＳ信号１１０２も送信することで、ＬＴＥ端末からのデバイスディスカバリ１１０５への干渉を抑制することができる。
【０１５７】
このように、ＬＴＥ端末が認識可能なＲＴＳ信号１１０２をＰＣＣで送信し、無線ＬＡＮで規定されているＲＴＳ信号１１０４をＳＣＣで送信することで、ＬＴＥ端末および無線ＬＡＮの双方からのデバイスディスカバリ１１０５への干渉を抑制することができる。
【０１５８】
このように、実施の形態３によれば、ＰＣＣでのディスカバリの後にＳＣＣでＵＥを限定したパッシブスキャンが行われる。たとえば、ｅＮＢ２１１は、ＰＣＣでのディスカバリ結果に基づいてＳＣＣで相互スキャンさせるＵＥサブセットを決定し、ＵＥサブセットへのディスカバリ用の無線リソースを割り当てる。これにより、ＵＥサブセットに含まれる各ＵＥが、ｅＮＢ２１１によって割り当てられたディスカバリ用の無線リソースによってＳＣＣでパッシブスキャンを実行することができる。
【０１５９】
したがって、Ｄ２Ｄ通信を行わないＵＥによるディスカバリ信号の送受信を抑制できるため、ＳＣＣにおけるディスカバリのためのトラフィックを低減し、ＳＣＣの輻輳低減を図ることができる。また、ディスカバリ信号を送受信するＵＥが少なくなるため、たとえば共用チャネルであるＳＣＣでディスカバリを行う場合の課題であるディスカバリに要する時間の増大を低減できる。
【０１６０】
また、たとえばＳＣＣでのディスカバリにアクティブスキャンを用いる場合に比べて、ＳＣＣでのディスカバリを行う各ＵＥに対して個別のアクティブスキャン指示を送信しなくてもよい。このため、ＳＣＣにおけるディスカバリのためのトラフィックを低減し、ＳＣＣの輻輳低減を図ることができる。
【０１６１】
このため、たとえばＳＣＣが他の通信システムとの共用チャネルとなるアンライセンスドバンドである場合であっても、他の通信システムへの影響を抑えつつ効率よく通信を行うことができる。
【０１６２】
また、ＳＣＣにおけるパッシブスキャンの結果、ＳＣＣでのＤ２Ｄ通信が不可であった場合であっても、ＰＣＣでのＤ２Ｄ通信が可能であることは確認済みであるため、たとえば再度のディスカバリを行わなくてもＰＣＣでのＤ２Ｄ通信を行うことができる。
【０１６３】
図１２Ａおよび図１２Ｂは、ディスカバリメッセージの一例を示す図である。ＬＴＥ−Ａｄｖａｎｃｅｄでは、端末間の直接無線通信を実現するための仕組みが検討されている。たとえば、各端末がディスカバリ信号の送信を行い、近傍の端末がこれを検出することにより、直接通信可能なデバイスおよびそのデバイスが提供するサービスに関する情報を取得する方法が検討されている。
【０１６４】
この場合のディスカバリ信号としてはたとえば図１２Ａに示すディスカバリメッセージ１２１０や図１２Ｂに示すディスカバリメッセージ１２２０を各端末が送信することが検討されている。ディスカバリメッセージ１２１０は、Ｎｏｎ−ｐｕｂｌｉｃ  ｓａｆｅｔｙ  ｏｐｅｎ  ｄｉｓｃｏｖｅｒｙ  ｕｓｅ  ｃａｓｅにおける１９２ビットのディスカバリメッセージである。ディスカバリメッセージ１２２０は、Ｐｕｂｌｉｃ  ｓａｆｅｔｙ  ｕｓｅ  ｃａｓｅにおけるディスカバリメッセージである。
【０１６５】
上述したパッシブスキャン信号には、たとえば、デバイスが提供するサービスに関する情報を含むディスカバリメッセージ１２１０やディスカバリメッセージ１２２０を用いることができる。一方、上述したアクティブスキャンメッセージは、デバイスが提供するサービスに関する情報を含まないディスカバリメッセージとすることができる。
【０１６６】
以上説明したように、無線通信システム、端末、基地局および処理方法によれば、ＰＣＣとＳＣＣの周波数が離れていてもＳＣＣでのＤ２Ｄ通信を可能にすることができる。
【０１６７】
たとえば、従来、現状のＬＴＥ仕様へのインパクトを考慮して、ライセンスドバンドを用いたＬＴＥにおける付加的キャリアとしてアンライセンスドバンドを利用する方法が検討されている。この方法において、制御情報の伝送については、たとえばライセンスドバンドのキャリアを用いることが検討されている。
【０１６８】
この方法において、たとえばアンライセンスドバンドにおける無線ＬＡＮとの共存方法などが検討されている。そして、このアンライセンスドバンドを、ｅＮＢとＵＥ間の通信だけでなく、Ｄ２Ｄ通信にも利用するシナリオも検討されている。
【０１６９】
たとえば、ＰＣＣ（ライセンスドバンド）とＳＣＣ（アンライセンスドバンド）でディスカバリを行う場合に、ＰＣＣとＳＣＣ間の周波数が離れていると（たとえばＰＣＣが２［ＧＨｚ］、ＳＣＣが５．８［ＧＨｚ］など）、ミスマッチが起きる。すなわち、たとえばＰＣＣでは検出されたデバイスが、ＳＣＣでは伝搬特性が異なるために通信できない場合などが考えられる。
【０１７０】
これに対して、ＰＣＣで行っているディスカバリの手順をそのままＳＣＣで行う方法が考えられるが、以下の問題がある。すなわち、ＳＣＣは共用チャネルであるため、チャネルのアクセス制御にはＣＳＭＡ／ＣＡ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ａｖｏｉｄａｎｃｅ：搬送波感知多重アクセス／衝突回避）などを用いることになる。このため、基地局側で正確なスケジューリングができず、またサブバンド単位のアクセス制御ができないため、ディスカバリの効率がＰＣＣに比べて低くなる場合がある。
【０１７１】
これに対して、上述した各実施の形態によれば、ＰＣＣ上では、比較的大きなサイズのディスカバリ信号を用いるデバイスおよびサービスディスカバリ（パッシブスキャン）を行うことができる。そして、ＳＣＣ上ではディスカバリ信号のサイズを小さくできるアクティブスキャン、または端末を限定したパッシブスキャンを行うことができる。
【０１７２】
これにより、デバイス間通信におけるディスカバリにおいて、ＰＣＣとＳＣＣ間の周波数が離れている場合におけるディスカバリのミスマッチを回避できる。また、ＳＣＣにおけるディスカバリのためのトラフィックを低減することができる。このため、周波数が離れたＰＣＣとＳＣＣでＤ２Ｄ通信を行う場合のＳＣＣのディスカバリの効率の向上を図ることができる。
【０１７３】
上述した実施の形態に関し、さらに以下の付記を開示する。
【０１７４】
（付記１）第１帯域の第１検出用信号を用いて前記第１帯域において自端末と直接無線通信が可能な他端末を検出し、検出した前記他端末を宛先とする第２帯域の第２検出用信号を送信することによって前記第２帯域において前記他端末と直接無線通信が可能か否かの判断を行い、前記判断の結果に基づいて前記第１帯域および前記第２帯域の少なくともいずれかにおいて前記他端末と直接無線通信を行う端末と、
前記端末が接続する基地局であって、前記第１検出用信号および前記第２検出用信号の送信を制御する基地局と、
を含むことを特徴とする無線通信システム。
【０１７５】
（付記２）前記端末は、
周辺の端末から送信される前記第１検出用信号を受信することによって前記周辺の端末の中から前記他端末を検出し、
前記他端末を宛先とする前記第２検出用信号を送信し、送信した前記第２検出用信号に対する前記他端末からの応答信号を受信することによって前記第２帯域において前記他端末と直接無線通信が可能か否かの判断を行う、
ことを特徴とする付記１に記載の無線通信システム。
【０１７６】
（付記３）前記基地局は、
自局に接続している端末に対して前記第１検出用信号の送信を指示する信号を送信し、
前記第１検出用信号を用いた前記他端末の検出の結果を前記端末から受信し、
前記端末に対して前記第２検出用信号の送信を指示する信号を送信する、
ことを特徴とする付記１または２に記載の無線通信システム。
【０１７７】
（付記４）前記基地局は、前記第２検出用信号を送信するための前記第２帯域の無線リソースを前記端末に割り当て、
前記端末は、前記基地局によって割り当てられた無線リソースによって前記第２検出用信号を送信する、
ことを特徴とする付記１〜３のいずれか一つに記載の無線通信システム。
【０１７８】
（付記５）前記第１帯域は、自システムの専用の帯域であり、
前記第２帯域は、前記自システムと他の無線通信システムとの共用の帯域である、
ことを特徴とする付記１〜４のいずれか一つに記載の無線通信システム。
【０１７９】
（付記６）前記端末は、
前記第１検出用信号を用いたパッシブスキャンによって前記第１帯域において自端末と直接無線通信が可能な他端末を検出し、
前記第２検出用信号を送信するアクティブスキャンによって前記第２帯域において前記他端末と直接無線通信が可能か否かの判断を行う、
ことを特徴とする付記１〜５のいずれか一つに記載の無線通信システム。
【０１８０】
（付記７）第１帯域の第１検出用信号を用いて前記第１帯域において自端末と直接無線通信が可能な他端末を検出し、検出した前記他端末を宛先とする第２帯域の第２検出用信号を送信することによって前記第２帯域において前記他端末と直接無線通信が可能か否かの判断を行う検出部と、
前記検出部による前記判断の結果に基づいて前記第１帯域および前記第２帯域の少なくともいずれかにおいて前記他端末と直接無線通信を行う通信部と、
を備えることを特徴とする端末。
【０１８１】
（付記８）自局に接続する端末に対して、
第１帯域の第１検出用信号を用いて前記第１帯域において前記端末と直接無線通信が可能な他端末を検出させ、
前記端末が検出した前記他端末を宛先とする第２帯域の第２検出用信号を送信することによって前記第２帯域において前記他端末と直接無線通信が可能か否かの判断を行わせ、
前記判断の結果に基づいて前記第１帯域および前記第２帯域の少なくともいずれかにおいて前記他端末と直接無線通信を行わせる、
制御を行う制御部を備えることを特徴とする基地局。
【０１８２】
（付記９）端末における処理方法であって、
第１帯域の第１検出用信号を用いて前記第１帯域において前記端末と直接無線通信が可能な他端末を検出し、
検出した前記他端末を宛先とする第２帯域の第２検出用信号を送信することによって前記第２帯域において前記他端末と直接無線通信が可能か否かの判断を行い、
前記判断の結果に基づいて前記第１帯域および前記第２帯域の少なくともいずれかにおいて前記他端末と直接無線通信を行う、
ことを特徴とする処理方法。
【０１８３】
（付記１０）端末が接続する基地局における処理方法であって、
前記端末に対して、
第１帯域の第１検出用信号を用いて前記第１帯域において前記端末と直接無線通信が可能な他端末を検出させ、
前記端末が検出した前記他端末を宛先とする第２帯域の第２検出用信号を送信することによって前記第２帯域において前記他端末と直接無線通信が可能か否かの判断を行わせ、
前記判断の結果に基づいて前記第１帯域および前記第２帯域の少なくともいずれかにおいて前記他端末と直接無線通信を行わせる、
制御を行うことを特徴とする処理方法。
【０１８４】
（付記１１）第１帯域の第１検出用信号を用いて前記第１帯域において自端末と直接無線通信が可能な他端末を互いに検出する複数の端末であって、前記複数の端末のうちの前記第１検出用信号によって検出された端末のそれぞれが、第２帯域の第２検出用信号を互いに送信することによって前記第２帯域において互いに直接無線通信が可能か否かの判断を行い、前記判断の結果に基づいて前記第１帯域および前記第２帯域の少なくともいずれかにおいて前記直接無線通信を行う複数の端末と、
前記複数の端末が無線接続する基地局であって、前記第１検出用信号および前記第２検出用信号の送信を制御する基地局と、
を含むことを特徴とする無線通信システム。
【０１８５】
（付記１２）前記複数の端末のそれぞれは、周辺の端末から送信される前記第１検出用信号を受信することによって前記周辺の端末の中から前記他端末を検出し、
前記検出された端末のそれぞれは、前記検出された端末のうちの他の端末から送信された前記第２検出用信号に基づいて前記第２帯域において自端末と直接無線通信が可能な端末を検出することにより前記第２帯域において互いに直接無線通信が可能か否かの判断を行う、
ことを特徴とする付記１１に記載の無線通信システム。
【０１８６】
（付記１３）前記基地局は、
自局に接続している端末に対して前記第１検出用信号の送信を指示する信号を送信し、
前記第１検出用信号を用いた前記他端末の検出の結果を前記端末から受信し、
受信した前記結果に基づいて、前記検出された端末に対して前記第２検出用信号の送信を指示する信号を送信する、
ことを特徴とする付記１１または１２に記載の無線通信システム。
【０１８７】
（付記１４）前記基地局は、前記検出された端末が前記第２検出用信号を送信するための前記第２帯域の無線リソースを割り当て、
前記検出された端末のそれぞれは、前記基地局によって割り当てられた無線リソースによって前記第２検出用信号を互いに送信する、
ことを特徴とする付記１３に記載の無線通信システム。
【０１８８】
（付記１５）前記基地局は、前記第２検出用信号を送信するための前記第２帯域の無線リソースを予約する予約信号を前記第２帯域で送信し、
前記検出された端末のそれぞれは、前記予約信号によって予約された無線リソースによって前記第２検出用信号を互いに送信する、
ことを特徴とする付記１１〜１４のいずれか一つに記載の無線通信システム。
【０１８９】
（付記１６）前記基地局は、前記第２検出用信号を送信する前記第２帯域の無線リソースを予約する予約信号を前記第１帯域および前記第２帯域で送信することを特徴とする付記１１〜１５のいずれか一つに記載の無線通信システム。
【０１９０】
（付記１７）自端末とは異なる端末とともに、第１帯域の第１検出用信号を用いて前記第１帯域において直接無線通信が可能な他端末を互いに検出し、前記第１検出用信号によって自端末が検出された場合に、前記第１検出用信号によって検出された他の端末とともに、第２帯域の第２検出用信号を互いに送信することによって前記第２帯域において互いに直接無線通信が可能か否かの判断を行う検出部と、
前記検出部による前記判断の結果に基づいて前記第１帯域および前記第２帯域の少なくともいずれかにおいて前記直接無線通信を行う通信部と、
を備えることを特徴とする端末。
【０１９１】
（付記１８）自局に接続する複数の端末に対して、第１帯域の第１検出用信号を用いて前記第１帯域において自端末と直接無線通信が可能な他端末を互いに検出させ、
前記複数の端末のうちの前記第１検出用信号によって検出された端末のそれぞれに対して、第２帯域の第２検出用信号を互いに送信することによって前記第２帯域において互いに直接無線通信が可能か否かの判断を行わせ、前記判断の結果に基づいて前記第１帯域および前記第２帯域の少なくともいずれかにおいて前記直接無線通信を行わせる、
制御を行う制御部を備えることを特徴とする基地局。
【０１９２】
（付記１９）端末における処理方法であって、
自端末とは異なる端末とともに、第１帯域の第１検出用信号を用いて前記第１帯域において直接無線通信が可能な他端末を互いに検出し、
前記第１検出用信号によって自端末が検出された場合に、前記第１検出用信号によって検出された他の端末とともに、第２帯域の第２検出用信号を互いに送信することによって前記第２帯域において互いに直接無線通信が可能か否かの判断を行い、
前記判断の結果に基づいて前記第１帯域および前記第２帯域の少なくともいずれかにおいて前記直接無線通信を行う、
ことを特徴とする処理方法。
【０１９３】
（付記２０）複数の端末が接続する基地局における処理方法であって、
自局に接続する複数の端末に対して、第１帯域の第１検出用信号を用いて前記第１帯域において自端末と直接無線通信が可能な他端末を互いに検出させ、
前記複数の端末のうちの前記第１検出用信号によって検出された端末のそれぞれに対して、第２帯域の第２検出用信号を互いに送信することによって前記第２帯域において互いに直接無線通信が可能か否かの判断を行わせ、
前記判断の結果に基づいて前記第１帯域および前記第２帯域の少なくともいずれかにおいて前記直接無線通信を行わせる、
制御を行うことを特徴とする処理方法。
【符号の説明】
【０１９４】
１００，２００  無線通信システム
１１０，１２０  端末
１１１  検出部
１１２  通信部
１３０  基地局
１３１  制御部
２１１〜２１３，３００  ｅＮＢ
２２１〜２２３  マクロセル
２３１〜２３９，４００  ＵＥ
３０１，３１６，４０１  アンテナ
３０２，３１５，４０２，４２０  無線処理部
３０３，４０３，４１７  ＦＦＴ処理部
３０４，４０６  復調部
３０５，４０７  復号部
３０６  ＭＡＣ・ＲＬＣ処理部
３０７  無線リソース制御部
３０８  ＭＡＣ制御部
３０９  パケット生成部
３１０  ＭＡＣスケジューリング部
３１１  符号化部
３１２  変調部
３１３，４１４，４１６  多重部
３１４，４０５，４１９  ＩＦＦＴ処理部
３５０  無線通信装置
３５１  送受信アンテナ
３５２，３５９  アンプ
３５３，３５８  乗算部
３５４  アナログデジタル変換器
３５５  プロセッサ
３５６  メモリ
３５７  デジタルアナログ変換器
３６０  発振器
４０４  等化処理部
４０８  応答信号検出部
４０９  ディスカバリ信号検出部
４１０  キャリアセンス部
４１１  制御情報処理部
４１２  ディスカバリ信号生成部
４１３  データ処理部
４１５  シンボルマッピング部
４１８  周波数マッピング部
１１０１  リソース予約期間
１１０２，１１０４  ＲＴＳ信号
１１０３  キャリアセンス
１１０５  デバイスディスカバリ
１２１０，１２２０  ディスカバリメッセージ
【国際調査報告】
2015170392.tif 000023
2015170392.tif 000024
2015170392.tif 000025
2015170392.tif 000026